(57)【要約】  本願の実施例は、システム性能を向上させることができる信号報告方法、端末装置及びネットワーク装置を提供する。該方法は、端末装置がＮ（Ｎ≧１）個の第１信号を測定し、対応する測定結果を得て、Ｍ（Ｍ≧１）個の第２信号を測定し、対応する測定結果を得るステップと、前記端末装置が前記Ｎ個の第１信号の測定結果及び前記Ｍ個の第２信号の測定結果に基づき、報告する必要のある信号を決定するステップと、を含む。
2021500769.tif 000002
【特許請求の範囲】
【請求項１】
信号報告方法であって、
端末装置が、Ｎ（Ｎ≧１）個の第１信号を測定し、対応する測定結果を得て、Ｍ（Ｍ≧１）個の第２信号を測定し、対応する測定結果を得るステップと、
前記端末装置が、前記Ｎ個の第１信号の測定結果及び前記Ｍ個の第２信号の測定結果に基づき、報告する必要のある信号を決定するステップと、を含むことを特徴とする方法。
【請求項２】
端末装置が、ネットワーク装置から送信される第１構成情報であって、第１信号及び第２信号を測定するように前記端末装置を構成するための第１構成情報を受信するステップをさらに含むことを特徴とする請求項１に記載の方法。
【請求項３】
前記端末装置が前記Ｎ個の第１信号の測定結果及び前記Ｍ個の第２信号の測定結果に基づき、報告する必要のある信号を決定することは、
前記端末装置が、前記Ｎ個の第１信号の測定結果に基づき、前記Ｎ個の第１信号からＫ１個の第１信号を決定し、前記Ｍ個の第２信号の測定結果に基づき、前記Ｍ個の第２信号からＫ２個の第２信号を決定するステップであって、報告する必要のある信号が前記Ｋ１個の第１信号及び前記Ｋ２個の第２信号を含むステップを含むことを特徴とする請求項１又は２に記載の方法。
【請求項４】
前記端末装置が、前記ネットワーク装置から送信される第２構成情報を受信するステップであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられるステップをさらに含むことを特徴とする請求項３に記載の方法。
【請求項５】
前記端末装置が前記Ｎ個の第１信号の測定結果及び前記Ｍ個の第２信号の測定結果に基づき、報告する必要のある信号を決定することは、
前記端末装置が、前記Ｎ個の第１信号の測定結果及び前記Ｍ個の第２信号の測定結果に基づき、前記Ｎ個の第１信号及び前記Ｍ個の第２信号からＫ（１≦Ｋ≦Ｎ＋Ｍ）個の信号を決定するステップであって、報告する必要のある信号が前記Ｋ個の信号を含むステップを含むことを特徴とする請求項１又は２に記載の方法。
【請求項６】
前記端末装置が、前記ネットワーク装置から送信される第３構成情報を受信するステップであって、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられるステップをさらに含むことを特徴とする請求項５に記載の方法。
【請求項７】
前記端末装置が前記Ｎ個の第１信号の測定結果及び前記Ｍ個の第２信号の測定結果に基づき、報告する必要のある信号を決定することは、
前記端末装置が、第１判断条件及び前記Ｎ個の第１信号の測定結果に基づき、前記Ｎ個の第１信号からＫ１（Ｋ１≦Ｎ）個の第１信号を決定し、第２判断条件及び前記Ｍ個の第２信号の測定結果に基づき、前記Ｍ個の第２信号からＫ２（Ｋ２≦Ｍ）個の第２信号を決定するステップであって、報告する必要のある信号が前記Ｋ１個の第１信号及び前記Ｋ２個の第２信号を含むステップを含むことを特徴とする請求項１又は２に記載の方法。
【請求項８】
前記方法は、
前記端末装置が、前記ネットワーク装置から送信される第４構成情報を受信するステップであって、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられるステップをさらに含むことを特徴とする請求項７に記載の方法。
【請求項９】
前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含むことを特徴とする請求項７又は８に記載の方法。
【請求項１０】
前記端末装置が前記Ｎ個の第１信号の測定結果及び前記Ｍ個の第２信号の測定結果に基づき、報告する必要のある信号を決定することは、
前記端末装置が、第３判断条件、及び前記Ｎ個の第１信号の測定結果と前記Ｍ個の第２信号の測定結果に基づき、前記Ｎ個の第１信号及び前記Ｍ個の第２信号からＫ（１≦Ｋ≦Ｎ＋Ｍ）個の第２信号を決定するステップであって、報告する必要のある信号が前記Ｋ個の信号を含むステップを含むことを特徴とする請求項１又は２に記載の方法。
【請求項１１】
前記端末装置が、前記ネットワーク装置から送信される第５構成情報を受信するステップであって、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられるステップをさらに含むことを特徴とする請求項１０に記載の方法。
【請求項１２】
前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含むことを特徴とする請求項１０又は１１に記載の方法。
【請求項１３】
前記端末装置が、少なくとも１つの第１信号及び少なくとも１つの第２信号の測定結果をジョイント処理し、処理後の測定結果を得るステップであって、前記処理後の測定結果が前記第１信号及び前記第２信号に対応する測定結果であるステップをさらに含むことを特徴とする請求項１又は２に記載の方法。
【請求項１４】
前記端末装置が前記少なくとも１つの第１信号及び前記少なくとも１つの第２信号の測定結果をジョイント処理し、処理後の測定結果を得ることは、
前記端末装置が、前記少なくとも１つの第１信号及び前記少なくとも１つの第２信号の測定結果のうちの最大値を、前記処理後の測定結果として決定するステップを含むことを特徴とする請求項１３に記載の方法。
【請求項１５】
前記端末装置が前記少なくとも１つの第１信号及び前記少なくとも１つの第２信号の測定結果をジョイント処理し、処理後の測定結果を得ることは、
前記端末装置が、前記少なくとも１つの第１信号及び前記少なくとも１つの第２信号の測定結果のうちの最小値を、前記処理後の測定結果として決定するステップを含むことを特徴とする請求項１３に記載の方法。
【請求項１６】
前記端末装置が前記少なくとも１つの第１信号及び前記少なくとも１つの第２信号の測定結果をジョイント処理し、処理後の測定結果を得ることは、
前記端末装置が、前記処理後の測定結果を、ａ＊Ｒ１＋ｂ＊Ｒ２として決定するステップであって、ａ＞０、ｂ＞０であり、前記Ｒ１が前記第１信号の測定結果であり、前記Ｒ２が前記第２信号の測定結果であるステップを含むことを特徴とする請求項１３に記載の方法。
【請求項１７】
前記ａ及び前記ｂはネットワーク装置によって前記端末装置に対して構成され、前記端末装置によって決定されるものであり、又は前記端末装置に事前設定されているものであることを特徴とする請求項１６に記載の方法。
【請求項１８】
前記ａ及び前記ｂは、前記少なくとも１つの第１信号及び前記少なくとも１つの第２信号の信号帯域幅、信号周期、信号密度、リソース要素ＲＥ数又はサンプル数のうちの少なくとも１つに基づき、決定されることを特徴とする請求項１６又は１７に記載の方法。
【請求項１９】
前記第１信号及び前記第２信号は擬似コロケーション（ＱＣＬ）又は空間的擬似コロケーションであることを特徴とする請求項１３〜１８のいずれか一項に記載の方法。
【請求項２０】
前記端末装置が前記Ｎ個の第１信号の測定結果及び前記Ｍ個の第２信号の測定結果に基づき、報告する必要のある信号を決定することは、
前記端末装置が、処理後の測定結果に基づき、報告する必要のある信号を決定するステップを含むことを特徴とする請求項１３〜１９のいずれか一項に記載の方法。
【請求項２１】
前記端末装置が前記Ｎ個の第１信号の測定結果及び前記Ｍ個の第２信号の測定結果に基づき、報告する必要のある信号を決定することは、
前記端末装置が、前記Ｎ個の第１信号及び前記Ｍ個の第２信号の送信電力に基づき、前記Ｎ個の第１信号の測定結果及び前記Ｍ個の第２信号の測定結果を調整するステップと、
調整後のＮ個の第１信号の測定結果及び調整後のＭ個の第２信号の測定結果に基づき、報告する必要のある信号を決定するステップと、を含むことを特徴とする請求項１に記載の方法。
【請求項２２】
前記調整後のＮ個の第１信号の測定結果及び調整後のＭ個の第２信号の測定結果に基づき、報告する必要のある信号を決定することは、
前記端末装置が、前記調整後のＮ個の第１信号の測定結果を前記調整後のＭ個の第２信号の測定結果と比較し、品質が最も高いＫ（１≦Ｋ≦Ｎ＋Ｍ）個の信号を、報告する必要のある信号として決定するステップを含むことを特徴とする請求項２１に記載の方法。
【請求項２３】
前記調整後のＮ個の第１信号の測定結果及び調整後のＭ個の第２信号の測定結果に基づき、報告する必要のある信号を決定することは、
前記端末装置が、調整後のＮ個の第１信号の測定結果及び前記調整後のＭ個の第２信号の測定結果のうちの一部又はすべてを処理し、処理後のＮ個の第１信号の測定結果及び処理後のＭ個の第２信号の測定結果に基づき、報告する必要のある信号を決定するステップを含むことを特徴とする請求項２１に記載の方法。
【請求項２４】
前記端末装置が調整後のＮ個の第１信号の測定結果及び前記調整後のＭ個の第２信号の測定結果のうちの一部又はすべてを処理することは、
前記端末装置が、第１測定結果を第１係数と乗算し、又は前記第１測定結果を第１オフセットと加算するステップであって、前記第１測定結果が、前記調整後のＮ個の第１信号の測定結果のうちのいずれか一つの測定結果又は前記調整後のＭ個の第２信号の測定結果のうちのいずれか一つの測定結果であるステップを含むことを特徴とする請求項２３に記載の方法。
【請求項２５】
前記第１係数は前記端末装置に事前設定されており、前記ネットワーク装置によって前記端末装置に対して構成され、又は前記端末装置によって決定されることを特徴とする請求項２４に記載の方法。
【請求項２６】
前記第１オフセットは前記端末装置に事前設定されており、前記ネットワーク装置によって前記端末装置に対して構成され、又は前記端末装置によって決定されることを特徴とする請求項２４又は２５に記載の方法。
【請求項２７】
前記測定結果は参照信号受信電力（ＲＳＲＰ）であることを特徴とする請求項１〜２６のいずれか一項に記載の方法。
【請求項２８】
前記第１信号はチャネル状態情報参照信号（ＣＳＩ−ＲＳ）であり、前記第２信号は同期信号ブロック（ＳＳ  Ｂｌｏｃｋ）中の一部又はすべての信号であることを特徴とする請求項１〜２７のいずれか一項に記載の方法。
【請求項２９】
信号報告方法であって、
ネットワーク装置が、第１信号及び第２信号を測定するように前記端末装置を構成するための第１構成情報を端末装置に送信するステップと、
前記ネットワーク装置が、端末装置から送信される報告結果を受信するステップであって、前記報告結果が、前記端末装置によってＮ（Ｎ≧１）個の第１信号の測定結果及びＭ（Ｍ≧１）個の第２信号の測定結果に基づいて決定された信号の情報を含むステップと、を含むことを特徴とする方法。
【請求項３０】
前記ネットワーク装置が、第２構成情報を前記端末装置に送信するステップであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられるステップをさらに含むことを特徴とする請求項２９に記載の方法。
【請求項３１】
前記ネットワーク装置が、第３構成情報を前記端末装置に送信するステップであって、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられるステップをさらに含むことを特徴とする請求項２９に記載の方法。
【請求項３２】
前記ネットワーク装置が、第４構成情報を前記端末装置に送信するステップであって、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられるステップをさらに含むことを特徴とする請求項２９に記載の方法。
【請求項３３】
前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含むことを特徴とする請求項２９に記載の方法。
【請求項３４】
前記ネットワーク装置が、第５構成情報を前記端末装置に送信するステップであって、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられるステップをさらに含むことを特徴とする請求項２９に記載の方法。
【請求項３５】
前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含むことを特徴とする請求項３４に記載の方法。
【請求項３６】
端末装置であって、
Ｎ（Ｎ≧１）個の第１信号を測定し、対応する測定結果を得て、Ｍ（Ｍ≧１）個の第２信号を測定し、対応する測定結果を得るように構成される測定モジュールと、
前記Ｎ個の第１信号の測定結果及び前記Ｍ個の第２信号の測定結果に基づき、報告する必要のある信号を決定するように構成される決定モジュールと、を備えることを特徴とする端末装置。
【請求項３７】
ネットワーク装置から送信される第１構成情報であって、第１信号及び第２信号を測定するように前記端末装置を構成するための第１構成情報を受信するように構成される第１受信モジュールをさらに備えることを特徴とする請求項３６に記載の端末装置。
【請求項３８】
前記決定モジュールは具体的には、
前記Ｎ個の第１信号の測定結果に基づき、前記Ｎ個の第１信号からＫ１個の第１信号を決定し、前記Ｍ個の第２信号の測定結果に基づき、前記Ｍ個の第２信号からＫ２個の第２信号を決定するように構成され、報告する必要のある信号が前記Ｋ１個の第１信号及び前記Ｋ２個の第２信号を含むことを特徴とする請求項３６又は３７に記載の端末装置。
【請求項３９】
前記ネットワーク装置から送信される第２構成情報を受信するように構成される第２受信モジュールであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられる第２受信モジュールをさらに備えることを特徴とする請求項３８に記載の端末装置。
【請求項４０】
前記決定モジュールは具体的には、
前記Ｎ個の第１信号の測定結果及び前記Ｍ個の第２信号の測定結果に基づき、前記Ｎ個の第１信号及び前記Ｍ個の第２信号からＫ（１≦Ｋ≦Ｎ＋Ｍ）個の信号を決定するように構成され、報告する必要のある信号が前記Ｋ個の信号を含むことを特徴とする請求項３６又は３７に記載の端末装置。
【請求項４１】
前記ネットワーク装置から送信される第３構成情報を受信するように構成される第３受信モジュールであって、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられる第３受信モジュールをさらに備えることを特徴とする請求項４０に記載の端末装置。
【請求項４２】
前記決定モジュールは具体的には、
第１判断条件及び前記Ｎ個の第１信号の測定結果に基づき、前記Ｎ個の第１信号からＫ１（Ｋ１≦Ｎ）個の第１信号を決定し、第２判断条件及び前記Ｍ個の第２信号の測定結果に基づき、前記Ｍ個の第２信号からＫ２（Ｋ２≦Ｍ）個の第２信号を決定するように構成され、報告する必要のある信号が前記Ｋ１個の第１信号及び前記Ｋ２個の第２信号を含むことを特徴とする請求項３６又は３７に記載の端末装置。
【請求項４３】
前記ネットワーク装置から送信される第４構成情報を受信するように構成される第４受信モジュールであって、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられる第４受信モジュールをさらに備えることを特徴とする請求項４２に記載の端末装置。
【請求項４４】
前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含むことを特徴とする請求項４２又は４３に記載の端末装置。
【請求項４５】
前記決定モジュールはさらに、
第３判断条件、及び前記Ｎ個の第１信号の測定結果と前記Ｍ個の第２信号の測定結果に基づき、前記Ｎ個の第１信号及び前記Ｍ個の第２信号からＫ（１≦Ｋ≦Ｎ＋Ｍ）個の第２信号を決定するように構成され、報告する必要のある信号が前記Ｋ個の信号を含むことを特徴とする請求項３６又は３７に記載の端末装置。
【請求項４６】
前記ネットワーク装置から送信される第５構成情報を受信するように構成される第５受信モジュールであって、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられる第５受信モジュールをさらに備えることを特徴とする請求項４５に記載の端末装置。
【請求項４７】
前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含むことを特徴とする請求項４５又は４６に記載の端末装置。
【請求項４８】
少なくとも１つの第１信号及び少なくとも１つの第２信号の測定結果をジョイント処理し、処理後の測定結果を得るように構成される処理モジュールであって、前記処理後の測定結果が前記第１信号及び前記第２信号に対応する測定結果である処理モジュールをさらに備えることを特徴とする請求項３６又は３７に記載の端末装置。
【請求項４９】
前記処理モジュールは具体的には、
前記少なくとも１つの第１信号及び前記少なくとも１つの第２信号の測定結果のうちの最大値を、前記処理後の測定結果として決定するように構成されることを特徴とする請求項４８に記載の端末装置。
【請求項５０】
前記処理モジュールは具体的には、
前記端末装置が前記少なくとも１つの第１信号及び前記少なくとも１つの第２信号の測定結果のうちの最小値を、前記処理後の測定結果として決定するように構成されることを特徴とする請求項４８に記載の端末装置。
【請求項５１】
前記処理モジュールは具体的には、
前記端末装置が前記処理後の測定結果を、ａ＊Ｒ１＋ｂ＊Ｒ２として決定するように構成され、ａ＞０、ｂ＞０であり、前記Ｒ１が前記第１信号の測定結果であり、前記Ｒ２が前記第２信号の測定結果であることを特徴とする請求項４８に記載の端末装置。
【請求項５２】
前記ａ及び前記ｂはネットワーク装置によって前記端末装置に対して構成され、前記端末装置によって決定されるものであり、又は前記端末装置に事前設定されているものであることを特徴とする請求項５１に記載の端末装置。
【請求項５３】
前記ａ及び前記ｂは、前記少なくとも１つの第１信号及び前記少なくとも１つの第２信号の信号帯域幅、信号周期、信号密度、リソース要素ＲＥ数又はサンプル数のうちの少なくとも１つに基づき、決定されることを特徴とする請求項５１又は５２に記載の端末装置。
【請求項５４】
前記第１信号及び前記第２信号は擬似コロケーション（ＱＣＬ）又は空間的擬似コロケーションであることを特徴とする請求項４８〜５３のいずれか一項に記載の端末装置。
【請求項５５】
前記決定モジュールは具体的には、
処理後の測定結果に基づき、報告する必要のある信号を決定するように構成されることを特徴とする請求項４８〜５４のいずれか一項に記載の端末装置。
【請求項５６】
前記Ｎ個の第１信号及び前記Ｍ個の第２信号の送信電力に基づき、前記Ｎ個の第１信号の測定結果及び前記Ｍ個の第２信号の測定結果を調整するように構成される処理モジュールをさらに備え、
前記決定モジュールは具体的には、
調整後のＮ個の第１信号の測定結果及び調整後のＭ個の第２信号の測定結果に基づき、報告する必要のある信号を決定するように構成されることを特徴とする請求項３６に記載の端末装置。
【請求項５７】
前記決定モジュールは具体的には、
前記調整後のＮ個の第１信号の測定結果を前記調整後のＭ個の第２信号の測定結果と比較し、品質が最も高いＫ（１≦Ｋ≦Ｎ＋Ｍ）個の信号を、報告する必要のある信号として決定するように構成されることを特徴とする請求項５６に記載の端末装置。
【請求項５８】
前記処理モジュールはさらに、
調整後のＮ個の第１信号の測定結果及び前記調整後のＭ個の第２信号の測定結果のうちの一部又はすべてを処理するように構成され、
前記決定モジュールは具体的には、
処理後のＮ個の第１信号の測定結果及び処理後のＭ個の第２信号の測定結果に基づき、報告する必要のある信号を決定するように構成されることを特徴とする請求項５６に記載の端末装置。
【請求項５９】
前記処理モジュールは具体的には、
第１測定結果を第１係数と乗算し、又は前記第１測定結果を第１オフセットと加算するように構成され、前記第１測定結果が、前記調整後のＮ個の第１信号の測定結果のうちのいずれか一つの測定結果又は前記調整後のＭ個の第２信号の測定結果のうちのいずれか一つの測定結果であることを特徴とする請求項５８に記載の端末装置。
【請求項６０】
前記第１係数は前記端末装置に事前設定されており、前記ネットワーク装置によって前記端末装置に対して構成され、又は前記端末装置によって決定されることを特徴とする請求項５９に記載の端末装置。
【請求項６１】
前記第１オフセットは前記端末装置に事前設定されており、前記ネットワーク装置によって前記端末装置に対して構成され、又は前記端末装置によって決定されることを特徴とする請求項５９又は６０に記載の端末装置。
【請求項６２】
前記測定結果は参照信号受信電力（ＲＳＲＰ）であることを特徴とする請求項３６〜６１のいずれか一項に記載の端末装置。
【請求項６３】
前記第１信号はチャネル状態情報参照信号（ＣＳＩ−ＲＳ）であり、前記第２信号は同期信号ブロック（ＳＳ  Ｂｌｏｃｋ）中の一部又はすべての信号であることを特徴とする請求項３６〜６２のいずれか一項に記載の端末装置。
【請求項６４】
ネットワーク装置であって、
第１信号及び第２信号を測定するように前記端末装置を構成するための第１構成情報を端末装置に送信するように構成される送信モジュールと、
端末装置から送信される報告結果を受信するように構成される受信モジュールであって、前記報告結果が、前記端末装置によってＮ（Ｎ≧１）個の第１信号の測定結果及びＭ（Ｍ≧１）個の第２信号の測定結果に基づいて決定された信号の情報を含む受信モジュールと、を備えることを特徴とするネットワーク装置。
【請求項６５】
前記送信モジュールはさらに、
第２構成情報を前記端末装置に送信するように構成され、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられることを特徴とする請求項６４に記載のネットワーク装置。
【請求項６６】
前記送信モジュールはさらに、
第３構成情報を前記端末装置に送信するように構成され、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられることを特徴とする請求項６４に記載のネットワーク装置。
【請求項６７】
前記送信モジュールはさらに、
第４構成情報を前記端末装置に送信するように構成され、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられることを特徴とする請求項６４に記載のネットワーク装置。
【請求項６８】
前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含むことを特徴とする請求項６７に記載のネットワーク装置。
【請求項６９】
前記送信モジュールはさらに、
第５構成情報を前記端末装置に送信するように構成され、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられることを特徴とする請求項６４に記載のネットワーク装置。
【請求項７０】
前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含むことを特徴とする請求項６９に記載のネットワーク装置。
【発明の詳細な説明】
【技術分野】
【０００１】
本願は通信分野に関し、より具体的には、信号報告方法、端末装置及びネットワーク装置に関する。
【背景技術】
【０００２】
５Ｇのマルチビーム（ｍｕｌｔｉ−ｂｅａｍ）システムでは、端末装置は１種の参照信号を測定することができ、測定結果に基づいて品質が高い信号を決定し、又は、これらの信号を伝送するビームの伝送品質が高いと決定することができ、従って、端末装置はこれらの信号の情報、例えばビームの情報又は測定結果等をネットワーク装置に報告することができる。
【０００３】
しかしながら、ネットワークは端末装置に複数種の参照信号を設定することができ、端末装置にとって、複数種の参照信号に基づき、報告する必要のある信号を如何に決定するか、すなわち、ビーム選択が解決を急ぐべき問題である。
【発明の概要】
【発明が解決しようとする課題】
【０００４】
本願の実施例は、少なくとも２種の信号に基づき報告する必要のある信号を決定することができる信号報告方法、端末装置及びネットワーク装置を提供する。
【課題を解決するための手段】
【０００５】
第１態様によれば、信号報告方法を提供し、
端末装置が、Ｎ（Ｎ≧１）個の第１信号を測定し、対応する測定結果を得て、Ｍ（Ｍ≧１）個の第２信号を測定し、対応する測定結果を得るステップと、
前記端末装置が、前記Ｎ個の第１信号の測定結果及び前記Ｍ個の第２信号の測定結果に基づき、報告する必要のある信号を決定するステップと、を含む。
【０００６】
従って、本願の実施例に係る信号報告方法によれば、前記端末装置が少なくとも２種の信号の測定結果に基づき、報告する必要のある信号を決定することができ、すなわち、前記端末装置が少なくとも２種の信号の測定結果に基づきビームの選択を行うことができる。
【０００７】
好ましくは、本願の実施例では、前記方法は、
前記端末装置が、決定された報告する必要のある信号の情報をネットワーク装置に送信するステップをさらに含む。
【０００８】
例えば、前記端末装置が決定された報告対象となるＫ個の信号に対応するビームの情報を報告し、又はこれらＫ個の信号に対応する測定結果を報告し、報告される情報でネットワーク装置がこれらＫ個の信号を決定できればよく、本願の実施例では、特にこれを限定しない。
【０００９】
第１態様において、第１態様のいくつかの実施形態では、前記方法は、
端末装置が、ネットワーク装置から送信される第１構成情報であって、第１信号及び第２信号を測定するように前記端末装置を構成するための第１構成情報を受信するステップをさらに含む。
【００１０】
例えば、前記ネットワーク装置は半静的シグナリング（例えば、無線リソース制御（ＲＲＣ：Ｒａｄｉｏ  Ｒｅｓｏｕｒｃｅ  Ｃｏｎｔｒｏｌ）シグナリング）、又は動的シグナリング（例えば、ダウンリンク制御情報（ＤＣＩ：Ｄｏｗｎｌｉｎｋ  Ｃｏｎｔｒｏｌ  Ｉｎｆｏｒｍａｔｉｏｎ））などによって前記第１構成情報を前記端末装置に送信してもよく、本願の実施例では、前記第１構成情報の送信方式を限定しない。
【００１１】
第１態様において、第１態様のいくつかの実施形態では、前記端末装置が前記Ｎ個の第１信号の測定結果及び前記Ｍ個の第２信号の測定結果に基づき、報告する必要のある信号を決定することは、
前記端末装置が、前記Ｎ個の第１信号の測定結果に基づき、前記Ｎ個の第１信号からＫ１個の第１信号を決定し、前記Ｍ個の第２信号の測定結果に基づき、前記Ｍ個の第２信号からＫ２個の第２信号を決定するステップであって、報告する必要のある信号が前記Ｋ１個の第１信号及び前記Ｋ２個の第２信号を含むステップを含む。
【００１２】
例えば、前記端末装置が前記Ｎ個の第１信号測定結果に基づき、前記Ｎ個の第１信号から伝送品質が最も高いＫ１個の第１信号を決定するようにしてもよく、すなわち、前記Ｋ１個の第１信号はＮ個の第１信号のうちの伝送品質が最も高いＫ１個の第１信号である。
【００１３】
つまり、前記ネットワーク装置が、各種の信号の測定結果を個別比較し、各種の信号のうちの報告する必要のある信号の数を決定するように前記端末装置を構成してもよい。
【００１４】
第１態様において、第１態様のいくつかの実施形態では、前記方法は、
前記端末装置が、前記ネットワーク装置から送信される第２構成情報を受信するステップであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられるステップをさらに含む。
【００１５】
第１態様において、第１態様のいくつかの実施形態では、前記端末装置が前記Ｎ個の第１信号の測定結果及び前記Ｍ個の第２信号の測定結果に基づき、報告する必要のある信号を決定することは、
前記端末装置が、前記Ｎ個の第１信号の測定結果及び前記Ｍ個の第２信号の測定結果に基づき、前記Ｎ個の第１信号及び前記Ｍ個の第２信号からＫ（１≦Ｋ≦Ｎ＋Ｍ）個の信号を決定するステップであって、報告する必要のある信号が前記Ｋ個の信号を含むステップを含む。
【００１６】
つまり、前記端末装置が２種の信号の測定結果を一括比較し、前記Ｎ個の第１信号及び前記Ｍ個の第２信号からＫ個の信号を決定するようにしてもよく、例えば、前記端末装置がＮ個の第１信号及びＭ個の第２信号から伝送品質が最も高いＫ個の信号を決定し、前記Ｋ個の信号はＫ個の第１信号であり、又はＫ個の第２信号であり、又はＫ１個の第１信号及びＫ２（Ｋ１＋Ｋ２＝Ｋ、Ｋ１＞０、Ｋ２＞０）個の第２信号を含む。
【００１７】
第１態様において、第１態様のいくつかの実施形態では、前記方法は、
前記端末装置が、前記ネットワーク装置から送信される第３構成情報を受信するステップであって、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられるステップをさらに含む。
【００１８】
第１態様において、第１態様のいくつかの実施形態では、前記端末装置が前記Ｎ個の第１信号の測定結果及び前記Ｍ個の第２信号の測定結果に基づき、報告する必要のある信号を決定することは、
前記端末装置が、第１判断条件及び前記Ｎ個の第１信号の測定結果に基づき、前記Ｎ個の第１信号からＫ１（Ｋ１≦Ｎ）個の第１信号を決定し、第２判断条件及び前記Ｍ個の第２信号の測定結果に基づき、前記Ｍ個の第２信号からＫ２（Ｋ２≦Ｍ）個の第２信号を決定するステップであって、報告する必要のある信号が前記Ｋ１個の第１信号及び前記Ｋ２個の第２信号を含むステップを含む。
【００１９】
つまり、ネットワーク装置が、異なる信号に対して対応する判断条件を構成し、それによって信号選択時、対応する判断条件に基づき信号選択を行うことができる。好ましくは、各種の信号に対応する判断条件は同じであってもよく、異なってもよく、本願の実施例では、それを限定しない。
【００２０】
第１態様において、第１態様のいくつかの実施形態では、前記方法は、
前記端末装置が、前記ネットワーク装置から送信される第４構成情報を受信するステップであって、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられるステップをさらに含む。
【００２１】
第１態様において、第１態様のいくつかの実施形態では、前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含む。
【００２２】
第１態様において、第１態様のいくつかの実施形態では、前記端末装置が前記Ｎ個の第１信号の測定結果及び前記Ｍ個の第２信号の測定結果に基づき、報告する必要のある信号を決定することは、
前記端末装置が、第３判断条件、及び前記Ｎ個の第１信号の測定結果と前記Ｍ個の第２信号の測定結果に基づき、前記Ｎ個の第１信号及び前記Ｍ個の第２信号からＫ（１≦Ｋ≦Ｎ＋Ｍ）個の第２信号を決定するステップであって、報告する必要のある信号が前記Ｋ個の信号を含むステップを含む。
【００２３】
前記ネットワーク装置が複数の信号に対して同一判断条件、すなわち、第３判断条件を構成し、信号選択時、前記端末装置が同一判断条件に基づき、各信号の測定結果に合わせて、信号選択を行うようにしてもよい。
【００２４】
第１態様において、第１態様のいくつかの実施形態では、前記方法は、
前記端末装置が、前記ネットワーク装置から送信される第５構成情報を受信するステップであって、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられるステップをさらに含む。
【００２５】
第１態様において、第１態様のいくつかの実施形態では、前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含む。
【００２６】
第１態様において、第１態様のいくつかの実施形態では、前記方法は、
前記端末装置が、少なくとも１つの第１信号及び少なくとも１つの第２信号の測定結果をジョイント処理し、処理後の測定結果を得るステップであって、前記処理後の測定結果が前記第１信号及び前記第２信号に対応する測定結果であるステップをさらに含む。
【００２７】
第１態様において、第１態様のいくつかの実施形態では、前記端末装置が前記少なくとも１つの第１信号及び前記少なくとも１つの第２信号の測定結果をジョイント処理し、処理後の測定結果を得ることは、
前記端末装置が前記少なくとも１つの第１信号及び前記少なくとも１つの第２信号の測定結果のうちの最大値を、前記処理後の測定結果として決定するステップを含む。
【００２８】
すなわち、前記端末装置が擬似コロケーションの１組の信号に対応する測定結果のうちの最大値を、該当する擬似コロケーションの１組の信号に対応する測定結果として決定するようにしてもよい。
【００２９】
例えば、前記少なくとも１つの第１信号は１つの第１信号を含み、第１信号の測定結果をＲＳＲＰ１とし、前記少なくとも１つの第２信号は１つの第２信号を含み、第２信号の測定結果をＲＳＲＰ２とし、擬似コロケーションの１組の信号に対応する測定結果をＲＳＲＰとすると、ＲＳＲＰ＝ｍａｘ（ＲＳＲＰ１，ＲＳＲＰ２）である。
【００３０】
第１態様において、第１態様のいくつかの実施形態では、前記端末装置が前記少なくとも１つの第１信号及び前記少なくとも１つの第２信号の測定結果をジョイント処理し、処理後の測定結果を得ることは、
前記端末装置が、前記少なくとも１つの第１信号及び前記少なくとも１つの第２信号の測定結果のうちの最小値を、前記処理後の測定結果として決定するステップを含む。
【００３１】
すなわち、前記端末装置が、擬似コロケーションの１組の信号に対応する測定結果のうちの最小値を、該当する擬似コロケーションの１組の信号に対応する測定結果として決定するようにしてもよい。
【００３２】
例えば、前記少なくとも１つの第１信号は１つの第１信号を含み、第１信号の測定結果をＲＳＲＰ１とし、前記少なくとも１つの第２信号は１つの第２信号を含み、第２信号の測定結果をＲＳＲＰ２とし、擬似コロケーションの１組の信号に対応する測定結果をＲＳＲＰとすると、ＲＳＲＰ＝ｍｉｎ（ＲＳＲＰ１，ＲＳＲＰ２）である。
【００３３】
第１態様において、第１態様のいくつかの実施形態では、前記端末装置が前記少なくとも１つの第１信号及び前記少なくとも１つの第２信号の測定結果をジョイント処理し、処理後の測定結果を得ることは、
前記端末装置が、前記処理後の測定結果を、ａ＊Ｒ１＋ｂ＊Ｒ２として決定するステップであって、ａ＞０、ｂ＞０であり、前記Ｒ１が前記第１信号の測定結果であり、前記Ｒ２が前記第２信号の測定結果であるステップを含む。
【００３４】
すなわち、前記端末装置が擬似コロケーションの１組の信号に対応する測定結果を、それぞれ対応する係数と乗算した結果を、該当する擬似コロケーションの１組の信号に対応する測定結果として決定するようにしてもよい。
【００３５】
例えば、前記少なくとも１つの第１信号は１つの第１信号を含み、第１信号の測定結果をＲＳＲＰ１とし、前記少なくとも１つの第２信号は１つの第２信号を含み、第２信号の測定結果をＲＳＲＰ２とし、擬似コロケーションの１組の信号に対応する測定結果をＲＳＲＰとすると、ＲＳＲＰ＝ａ＊Ｒ１＋ｂ＊Ｒ２（ａ＞０、ｂ＞０）である。
【００３６】
好ましくは、擬似コロケーションの１組の信号に対応する測定結果の加重係数の和は１である。
【００３７】
第１態様において、第１態様のいくつかの実施形態では、前記ａ及び前記ｂはネットワーク装置によって前記端末装置に対して構成され、前記端末装置によって決定されるものであり、又は前記端末装置に事前設定されているものである。
【００３８】
第１態様において、第１態様のいくつかの実施形態では、前記ａ及び前記ｂは、前記少なくとも１つの第１信号及び前記少なくとも１つの第２信号の信号帯域幅、信号周期、信号密度、リソース要素ＲＥ数又はサンプル数のうちの少なくとも１つに基づき、決定される。
【００３９】
第１態様において、第１態様のいくつかの実施形態では、前記第１信号及び前記第２信号は擬似コロケーション（ＱＣＬ）又は空間的擬似コロケーションである。
【００４０】
例えば、前記少なくとも１つの第１信号及び前記少なくとも１つの第２信号は擬似コロケーション（ＱＣＬ：Ｑｕａｓｉ−Ｃｏ−Ｌｏｃａｔｉｏｎ）又は空間的擬似コロケーション（Ｓｐａｔｉａｌ  ＱＣＬ）の信号であり、例えば、少なくとも１つの第１信号及び前記少なくとも１つの第２信号は同一のｂｅａｍで送信され、又は同一のアンテナポートによって送信されるなどのようにしてもよい。
【００４１】
第１態様において、第１態様のいくつかの実施形態では、前記端末装置が前記Ｎ個の第１信号の測定結果及び前記Ｍ個の第２信号の測定結果に基づき、報告する必要のある信号を決定することは、
前記端末装置が処理後の測定結果に基づき、報告する必要のある信号を決定するステップを含む。
【００４２】
第１態様において、第１態様のいくつかの実施形態では、前記端末装置が前記Ｎ個の第１信号の測定結果及び前記Ｍ個の第２信号の測定結果に基づき、報告する必要のある信号を決定することは、
前記端末装置が、前記Ｎ個の第１信号及び前記Ｍ個の第２信号の送信電力に基づき、前記Ｎ個の第１信号の測定結果及び前記Ｍ個の第２信号の測定結果を調整するステップと、
調整後のＮ個の第１信号の測定結果及び調整後のＭ個の第２信号の測定結果に基づき、報告する必要のある信号を決定するステップと、を含む。
【００４３】
つまり、本願の実施例では、前記端末装置が、前記Ｎ個の第１信号の測定結果及び前記Ｍ個の第２信号の測定結果に基づき、報告する必要のある信号を直接決定し、又は前記Ｎ個の信号及び前記Ｍ個の信号の送信電力に基づき上記測定結果を調整した後、調整後の測定結果に基づき報告する必要のある信号を決定するようにしてもよい。
【００４４】
第１態様において、第１態様のいくつかの実施形態では、前記調整後のＮ個の第１信号の測定結果及び調整後のＭ個の第２信号の測定結果に基づき、報告する必要のある信号を決定することは、
前記端末装置が、前記調整後のＮ個の第１信号の測定結果を前記調整後のＭ個の第２信号の測定結果と比較し、品質が最も高いＫ（１≦Ｋ≦Ｎ＋Ｍ）個の信号を、報告する必要のある信号として決定するステップを含む。
【００４５】
第１態様において、第１態様のいくつかの実施形態では、前記調整後のＮ個の第１信号の測定結果及び調整後のＭ個の第２信号の測定結果に基づき、報告する必要のある信号を決定することは、
前記端末装置が、調整後のＮ個の第１信号の測定結果及び前記調整後のＭ個の第２信号の測定結果のうちの一部又はすべてを処理し、処理後のＮ個の第１信号の測定結果及び処理後のＭ個の第２信号の測定結果に基づき、報告する必要のある信号を決定するステップを含む。
【００４６】
第１態様において、第１態様のいくつかの実施形態では、前記端末装置が調整後のＮ個の第１信号の測定結果及び前記調整後のＭ個の第２信号の測定結果のうちの一部又はすべてを処理することは、
前記端末装置が、第１測定結果を第１係数と乗算し、又は前記第１測定結果を第１オフセットと加算するステップであって、前記第１測定結果が、前記調整後のＮ個の第１信号の測定結果のうちのいずれか一つの測定結果又は前記調整後のＭ個の第２信号の測定結果のうちのいずれか一つの測定結果であるステップを含む。
【００４７】
好ましくは、前記第１係数は前記端末装置に事前設定されており、前記ネットワーク装置によって前記端末装置に対して構成され、又は前記端末装置によって決定される。
【００４８】
好ましくは、前記第１オフセットは前記端末装置に事前設定されており、前記ネットワーク装置によって前記端末装置に対して構成され、又は前記端末装置によって決定される。
【００４９】
好ましくは、前記測定結果は参照信号受信電力（ＲＳＲＰ）である。
【００５０】
好ましくは、前記第１信号はチャネル状態情報参照信号（ＣＳＩ−ＲＳ）であり、前記第２信号は同期信号ブロック（ＳＳ  Ｂｌｏｃｋ）中の一部又はすべての信号である。
【００５１】
第２態様によれば、信号報告方法を提供し、 
ネットワーク装置が、第１信号及び第２信号を測定するように前記端末装置を構成するための第１構成情報を端末装置に送信するステップと、
前記ネットワーク装置が、端末装置から送信される報告結果を受信するステップであって、前記報告結果が、前記端末装置によってＮ（Ｎ≧１）個の第１信号の測定結果及びＭ（Ｍ≧１）個の第２信号の測定結果に基づいて決定された信号の情報を含むステップと、を含む。
【００５２】
第２態様において、第２態様のいくつかの実施形態では、前記方法は、
前記ネットワーク装置が、第２構成情報を前記端末装置に送信するステップであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられるステップをさらに含む。
【００５３】
第２態様において、第２態様のいくつかの実施形態では、前記方法は、
前記ネットワーク装置が、第３構成情報を前記端末装置に送信するステップであって、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられるステップをさらに含む。
【００５４】
第２態様において、第２態様のいくつかの実施形態では、前記方法は、
前記ネットワーク装置が、第４構成情報を前記端末装置に送信するステップであって、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられるステップをさらに含む。
【００５５】
第２態様において、第２態様のいくつかの実施形態では、前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含む。
【００５６】
第２態様において、第２態様のいくつかの実施形態では、前記方法は、
前記ネットワーク装置が、第５構成情報を前記端末装置に送信するステップであって、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられるステップをさらに含む。
【００５７】
第２態様において、第２態様のいくつかの実施形態では、前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含む。
【００５８】
第３態様によれば、端末装置を提供し、上記第１態様又は第１態様の可能な実施形態のいずれかに記載の方法を実行するように構成される。
【００５９】
具体的には、該端末装置が、上記第１態様又は第１態様の可能な実施形態のいずれかに記載の方法を実行するように構成されるユニットを備える。
【００６０】
第４態様によれば、ネットワーク装置を提供し、上記第２態様又は第２態様の可能な実施形態のいずれかに記載の方法を実行するように構成される。
【００６１】
具体的には、該ネットワーク装置は、上記第２態様又は第２態様の可能な実施形態のいずれかに記載の方法を実行するように構成されるユニットを備える。
【００６２】
第５態様によれば、端末装置を提供し、該端末装置が、メモリ、プロセッサ、入力インターフェース及び出力インターフェースを備える。メモリ、プロセッサ、入力インターフェース及び出力インターフェースがバスシステムによって接続される。該メモリは命令を記憶するように構成され、該プロセッサは、該メモリに記憶された命令を実行するように構成され、上記第１態様又は第１態様の可能な実施形態のいずれかに記載の方法を実行するように構成される。
【００６３】
第６態様によれば、ネットワーク装置を提供し、該ネットワーク装置は、メモリ、プロセッサ、入力インターフェース及び出力インターフェースを備える。メモリ、プロセッサ、入力インターフェース及び出力インターフェースがバスシステムによって接続される。該メモリは命令を記憶するように構成され、該プロセッサは、該メモリに記憶された命令を実行するように構成され、上記第２態様又は第２態様の可能な実施形態のいずれかに記載の方法を実行するように構成される。
【００６４】
第７態様によれば、コンピュータ記憶媒体を提供し、上記第１態様又は第１態様の可能な実施形態のいずれかに記載の方法を実行するためのコンピュータソフトウェア命令を記憶するように構成され、上記態様を実行するために設計されるプログラムを含む。
【００６５】
第８態様によれば、コンピュータ記憶媒体を提供し、上記第２態様又は第２態様の可能な実施形態のいずれかに記載の方法を実行するためのコンピュータソフトウェア命令を記憶するように構成され、上記態様を実行するために設計されるプログラムを含む。
【００６６】
第９態様によれば、命令を含むコンピュータプログラム製品を提供し、コンピュータによって実行されると、コンピュータに上記第１態様又は第１態様の可能な実施形態のいずれかに記載の方法を実行させる。
【００６７】
第１０態様によれば、命令を含むコンピュータプログラム製品を提供し、コンピュータによって実行されると、コンピュータに上記第２態様又は第２態様の可能な実施形態のいずれかに記載の方法を実行させる。
【図面の簡単な説明】
【００６８】
【図１】本願の実施例に係る通信システムの概略図である。
【図２】本願の実施例に係る信号報告方法の概略フローチャートである。
【図３】本願の別の実施例に係る信号報告方法の概略フローチャートである。
【図４】本願の実施例に係る端末装置の概略ブロック図である。
【図５】本願の実施例に係るネットワーク装置の概略ブロック図である。
【図６】本願の別の実施例に係る端末装置の概略ブロック図である。
【図７】本願の別の実施例に係るネットワーク装置の概略ブロック図である。
【発明を実施するための形態】
【００６９】
以下、本願の実施例の図面を参照して本願の実施例の技術案を説明する。
【００７０】
なお、本明細書では、用語「システム」と「ネットワーク」は常に交換して使用してもよい。本明細書では、用語「及び／又は」は単に関連対象を説明する関連関係であり、３種の関係が存在することを示し、例えば、Ａ及び／又はＢは、Ａのみが存在すること、Ａ及びＢが同時に存在すること、Ｂのみが存在することという３種の状況を含む。また、本明細書では、記号「／」は、一般には前後の関連対象が「又は」の関係を有することを示す。
【００７１】
本願の実施例に係る技術案は、例えば、モバイル通信用グローバルシステム（Ｇｌｏｂａｌ  Ｓｙｓｔｅｍ  ｏｆ  Ｍｏｂｉｌｅ  ｃｏｍｍｕｎｉｃａｔｉｏｎ：「ＧＳＭ」と略称）、符号分割多元接続（Ｃｏｄｅ  Ｄｉｖｉｓｉｏｎ  Ｍｕｌｔｉｐｌｅ  Ａｃｃｅｓｓ：「ＣＤＭＡ」と略称）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：「ＷＣＤＭＡ」と略称）システム、汎用パケット無線サービス（Ｇｅｎｅｒａｌ  Ｐａｃｋｅｔ  Ｒａｄｉｏ  Ｓｅｒｖｉｃｅ：「ＧＰＲＳ」と略称）、ロングタームエボリューション（Ｌｏｎｇ  Ｔｅｒｍ  Ｅｖｏｌｕｔｉｏｎ：「ＬＴＥ」と略称）システム、ＬＴＥ周波数分割複信（Ｆｒｅｑｕｅｎｃｙ  Ｄｉｖｉｓｉｏｎ  Ｄｕｐｌｅｘ：「ＦＤＤ」と略称）システム、ＬＴＥ時分割複信（Ｔｉｍｅ  Ｄｉｖｉｓｉｏｎ  Ｄｕｐｌｅｘ：「ＴＤＤ」と略称）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：「ＵＭＴＳ」と略称）、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：「ＷｉＭＡＸ」と略称）通信システム又は将来の５Ｇシステム等の各種の通信システムに適用できる。
【００７２】
図１は本願の実施例を適用できる無線通信システム１００を示す。該無線通信システム１００はネットワーク装置１１０を備え得る。ネットワーク装置１００は端末装置と通信する装置であり得る。ネットワーク装置１００は特定の地理的エリアに通信カバレッジを提供し、且つ該カバレッジエリア内に位置する端末装置（例えば、ＵＥ）と通信可能である。好ましくは、該ネットワーク装置１００はＧＳＭシステム又はＣＤＭＡシステム中の基地局（ＢＴＳ：Ｂａｓｅ  Ｔｒａｎｓｃｅｉｖｅｒ  Ｓｔａｔｉｏｎ）であってもよく、ＷＣＤＭＡシステム中の基地局（ＮＢ：ＮｏｄｅＢ）であってもよく、ＬＴＥシステム中の発展型基地局（ｅＮＢ又はｅＮｏｄｅＢ：Ｅｖｏｌｕｔｉｏｎａｌ  Ｎｏｄｅ  Ｂ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）中の無線コントローラであってもよく、又は該ネットワーク装置は中継局、アクセスポイント、車載装置、ウェアラブル装置、将来の５Ｇネットワーク中のネットワーク側装置又は将来の発展型地上波公共移動通信ネットワーク（ＰＬＭＮ：Ｐｕｂｌｉｃ  Ｌａｎｄ  Ｍｏｂｉｌｅ  Ｎｅｔｗｏｒｋ）中のネットワーク装置等であってもよい。
【００７３】
該無線通信システム１００はネットワーク装置１１０のカバレッジエリア内に位置する少なくとも１つの端末装置１２０をさらに備える。端末装置１２０は移動型又は固定型であり得る。好ましくは、端末装置１２０はアクセス端末、ユーザー装置（ＵＥ：Ｕｓｅｒ  Ｅｑｕｉｐｍｅｎｔ）、ユーザーユニット、ユーザー局、移動局、移動ステーション、遠隔局、遠隔端末、移動装置、ユーザー端末、端末、無線通信装置、ユーザーエージェント又はユーザー装置であってもよい。アクセス端末はセルラーホン、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有するハンドヘルドデバイス、コンピューティング装置又は無線モデムに接続されるほかの処理装置、車載装置、ウェアラブル装置、将来の５Ｇネットワーク中の端末装置又は将来の発展型ＰＬＭＮ中の端末装置等であってもよい。
【００７４】
好ましくは、５Ｇシステム又はネットワークは新無線（ＮＲ：Ｎｅｗ  Ｒａｄｉｏ）システム又はネットワークと呼ばれもよい。
【００７５】
好ましくは、該通信システム１００では、ネットワーク装置は異なるビームを使用して異なるチャネル状態情報参照信号（ＣＳＩ−ＲＳ：Ｃｈａｎｎｅｌ−Ｓｔａｔｅ  Ｉｎｆｏｒｍａｔｉｏｎ−Ｒｅｆｅｒｅｎｃｅ  Ｓｉｇｎａｌ）、又は同期信号ブロック（ＳＳ  Ｂｌｏｃｋ：Ｓｙｎｃｈｒｏｎｉｚａｔｉｏｎ  Ｓｉｇｎａｌ  Ｂｌｏｃｋ）を伝送し、端末装置が異なるＳＳ  ｂｌｏｃｋ、又はＣＳＩ−ＲＳ、又はＣＳＩ−ＲＳ伝送用のリソースに基づき、異なるビームを識別するようにしてもよい。
【００７６】
それに対応して、端末装置が、例えば、ＣＳＩ−ＲＳ又はＳＳ  ｂｌｏｃｋ中の信号のようなダウンリンク信号を測定し、測定結果に基づき伝送品質が高い信号を決定し、つまり、これらの信号を伝送するｂｅａｍの伝送品質が高く、その後、決定されたｂｅａｍの関連情報をネットワーク装置に報告し、例えば、端末装置がＮ（Ｎは整数）個の信号を測定し、最適なＫ（１≦Ｋ＜Ｎ）個の信号を選択し、その後、これらＫ個の信号の情報をネットワーク装置に報告する。
【００７７】
図１は１つのネットワーク装置及び２つの端末装置を例示しているが、好ましくは、該無線通信システム１００は複数のネットワーク装置を備え、且つ各ネットワーク装置のカバレッジエリア内にほかの数の端末装置が含まれるようにしもてよく、本願の実施例では、それを限定しない。
【００７８】
好ましくは、該無線通信システム１００はネットワークコントローラ、モビリティ管理エンティティ等のほかのネットワークエンティティをさらに備えてもよく、本願の実施例では、それを限定しない。
【００７９】
図２は本願の実施例に係る信号報告方法２００の概略フローチャートであり、該方法２００は図１に示される通信システムの端末装置によって実行でき、図２に示すように、該方法２００は、
端末装置が、Ｎ（Ｎ≧１）個の第１信号を測定し、対応する測定結果を得て、Ｍ（Ｍ≧１）個の第２信号を測定し、対応する測定結果を得るステップＳ２１０と、
前記端末装置は、前記Ｎ個の第１信号の測定結果及び前記Ｍ個の第２信号の測定結果に基づき、報告する必要のある信号を決定するステップＳ２２０と、を含む。
【００８０】
好ましくは、本願の実施例では、前記第１信号はＣＳＩ−ＲＳであり、前記第２信号はＳＳ  ｂｌｏｃｋ中の一部又はすべて信号、例えば、プライマリ同期信号（ＰＳＳ：Ｐｒｉｍａｒｙ  Ｓｙｎｃｈｒｏｎｉｚａｔｉｏｎ  Ｓｉｇｎａｌ）、又はセカンダリ同期信号（ＳＳＳ：Ｓｅｃｏｎｄａｒｙ  Ｓｙｎｃｈｒｏｎｉｚａｔｉｏｎ  Ｓｉｇｎａｌ）等である。
【００８１】
好ましくは、本願の実施例では、前記Ｎ個の第１信号の測定結果及び前記Ｍ個の第２信号の測定結果は参照信号受信電力（ＲＳＲＰ：Ｒｅｆｅｒｅｎｃｅ  Ｓｉｇｎａｌ  Ｒｅｃｅｉｖｅｄ  Ｐｏｗｅｒ）、例えば、前記測定結果は、Ｌ１のＲＳＲＰ、又はレイヤ３のＲＳＲＰ、又は伝送品質の比較に使用できる測定結果であってもよいが、本願の実施例では、それを限定しない。
【００８２】
なお、前記端末装置はさらにＰ個の第３信号を測定してＰ個の第３信号に対応する測定結果を得るようにしてもよく、さらに、前記端末装置はＮ個の第１信号の測定結果、Ｍ個の第２信号の測定結果及びＰ個の第３信号の測定結果に基づき、報告する必要のある信号を決定するようにしてもよく、本願の実施例では、前記端末装置が第１信号及び第２信号に基づき報告する必要のある信号を決定することを例に説明するが、これに限定されず、前記端末装置は、例えば、第３信号や第４信号等のより多く種類の信号に基づき報告する必要のある信号を決定してもよい。
【００８３】
好ましくは、本願の実施例では、Ｓ２２０の後、前記方法は、
前記端末装置は、決定された報告する必要のある信号の情報をネットワーク装置に送信するステップをさらに含む。
【００８４】
例えば、前記端末装置は決定された報告対象となるＫ個の信号に対応するビームの情報を報告し、又はこれらＫ個の信号に対応する測定結果を報告し、報告される情報でネットワーク装置がこれらＫ個の信号を決定できればよく、本願の実施例では、特にこれを限定しない。
【００８５】
好ましくは、本願の実施例では、前記方法２００は、
端末装置は、ネットワーク装置から送信される第１構成情報であって、第１信号及び第２信号を測定するように前記端末装置を構成するための第１構成情報を受信するステップをさらに含む。
【００８６】
すなわち、前記ネットワーク装置は前記第１構成情報によって、どの信号を測定するかのように前記端末装置を構成することができ、その後、測定結果に基づき報告する必要のある信号を決定するようにしてもよい。例えば、前記ネットワーク装置は半静的シグナリング（例えば、無線リソース制御（ＲＲＣ：Ｒａｄｉｏ  Ｒｅｓｏｕｒｃｅ  Ｃｏｎｔｒｏｌ）シグナリング）、又は動的シグナリング（例えば、ダウンリンク制御情報（ＤＣＩ：Ｄｏｗｎｌｉｎｋ  Ｃｏｎｔｒｏｌ  Ｉｎｆｏｒｍａｔｉｏｎ））などによって前記第１構成情報を前記端末装置に送信してもよく、本願の実施例では、前記第１構成情報の送信方式を限定しない。
【００８７】
好ましくは、一実施例として、Ｓ２２０は、
前記端末装置は、前記Ｎ個の第１信号の測定結果に基づき、前記Ｎ個の第１信号からＫ１個の第１信号を決定し、前記Ｍ個の第２信号の測定結果に基づき、前記Ｍ個の第２信号からＫ２個の第２信号を決定するステップであって、報告する必要のある信号が前記Ｋ１個の第１信号及び前記Ｋ２個の第２信号を含むステップを含む。
【００８８】
つまり、前記端末装置はそれぞれ前記第１信号及び前記第２信号の測定結果に基づき信号選択を行い、すなわち、前記Ｎ個の第１信号の測定結果に基づき、Ｎ個の第１信号からＫ１個の第１信号を決定するようにしてもよく、例えば、前記端末装置は前記Ｎ個の第１信号測定結果に基づき、前記Ｎ個の第１信号から伝送品質が最も高いＫ１個の第１信号を決定するようにしてもよく、すなわち、前記Ｋ１個の第１信号はＮ個の第１信号のうちの伝送品質が最も高いＫ１個の第１信号である。前記端末装置は、同様にＭ個の第２信号の測定結果に基づき、Ｍ個の第２信号からＫ２個の第２信号を決定するようにしてもよく、簡潔さの点から、ここでは重複説明を省略する。
【００８９】
好ましくは、いくつかの実施例では、前記方法２００は、
前記端末装置は、前記ネットワーク装置から送信される第２構成情報を受信するステップであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられるステップをさらに含む。
【００９０】
すなわち、前記ネットワーク装置は端末装置に対して、報告する必要のある信号の選択方式を構成し、例えば、前記端末装置は各種の信号の測定結果に基づき個別比較し、それぞれの報告する必要のある信号を決定するようにしてもよく、測定結果を一括比較し、すべての測定結果に基づき、報告する必要のある信号を決定するようにしてもよい。本実施例では、前記第２構成情報は具体的には、各種の信号の測定結果を個別比較し、各種の信号のうちの報告する必要のある信号の数を決定するように前記端末装置を構成してもよい。
【００９１】
好ましくは、前記ネットワーク装置は動的シグナリング、例えばＤＣＩによって、前記端末装置に対して前記第２構成情報を構成し、又は前記ネットワーク装置はほかのメッセージ又はシグナリングによって前記第２構成情報を前記端末装置に送信するようにしてもよいが、本願の実施例では前記第２構成情報の送信方式を限定しない。
【００９２】
好ましくは、別の実施例として、Ｓ２２０は、
前記端末装置は、前記Ｎ個の第１信号の測定結果及び前記Ｍ個の第２信号の測定結果に基づき、前記Ｎ個の第１信号及び前記Ｍ個の第２信号からＫ（１≦Ｋ≦Ｎ＋Ｍ）個の信号を決定するステップであって、報告する必要のある信号が前記Ｋ個の信号を含むステップを含む。
【００９３】
つまり、前記端末装置は２種の信号の測定結果を一括比較し、前記Ｎ個の第１信号及び前記Ｍ個の第２信号からＫ個の信号を決定するようにしてもよく、例えば、前記端末装置はＮ個の第１信号及びＭ個の第２信号から伝送品質が最も高いＫ個の信号を決定し、前記Ｋ個の信号はＫ個の第１信号であり、又はＫ個の第２信号であり、又はＫ１個の第１信号及びＫ２（Ｋ１＋Ｋ２＝Ｋ、Ｋ１＞０、Ｋ２＞０）個の第２信号を含む。
【００９４】
例えば、前記端末装置は前記Ｎ個の第１信号の測定結果及び前記Ｍ個の第２信号の測定結果を一括ソートし、前記Ｎ個の第１信号の測定結果及び前記Ｍ個の第２信号の測定結果のソートに基づき伝送品質が最も高いＫ個の信号を選択する。
【００９５】
好ましくは、いくつかの実施例では、前記方法２００は、
前記端末装置は、前記ネットワーク装置から送信される第３構成情報を受信するステップであって、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられるステップをさらに含む。
【００９６】
すなわち、前記ネットワーク装置は端末装置に対して、報告する必要のある信号の選択方式を構成し、本実施例では、前記ネットワーク装置は、前記端末装置が複数種の信号の測定結果を一括比較し、複数種の信号のうちの報告する必要のある信号を決定するように構成してもよい。つまり、前記ネットワーク装置は端末装置の報告対象となる各種の信号の数、又は報告対象となる複数種の信号の総数を構成するようにしてもよい。
【００９７】
好ましくは、前記ネットワーク装置は動的シグナリング、例えばＤＣＩによって前記端末装置に対して前記第３構成情報を構成し、又は前記ネットワーク装置はほかのメッセージ又はシグナリングによって前記第３構成情報を前記端末装置に送信するようにしてもよいが、本願の実施例では、前記第３構成情報の送信方式を限定しない。
【００９８】
好ましくは、いくつかの実施例では、Ｓ２２０は具体的には、
前記端末装置は、第１判断条件及び前記Ｎ個の第１信号の測定結果に基づき、前記Ｎ個の第１信号からＫ１（Ｋ１≦Ｎ）個の第１信号を決定し、第２判断条件及び前記Ｍ個の第２信号の測定結果に基づき、前記Ｍ個の第２信号からＫ２（Ｋ２≦Ｍ）個の第２信号を決定するステップであって、報告する必要のある信号が前記Ｋ１個の第１信号及び前記Ｋ２個の第２信号を含むステップを含む。
【００９９】
すなわち、前記端末装置はＮ個の第１信号のうちの報告する必要のある信号を決定する際に、前記Ｎ個の第１信号の測定結果及び第１判断条件に基づき、報告する必要のある信号を決定する。例えば、前記第１判断条件は、測定結果が第１閾値以上であること、又は測定結果と前記Ｎ個の第１信号の測定結果のうちの測定結果の最大値との差が第１差分値以下であることを含む。例えば、前記端末装置は前記第１判断条件に基づき、前記Ｎ個の第１信号の測定結果のうち第１閾値よりも大きい測定結果に対応する信号を、報告する必要のある信号として決定し、又は、前記端末装置は前記第１判断条件に基づき、前記Ｎ個の第１信号の測定結果のうち最大測定結果との差分値が第１差分値未満の測定結果に対応する信号を、報告する必要のある信号として決定する。好ましくは、前記第２判断条件は、測定結果が第２閾値以上であること、又は測定結果と前記Ｍ個の第２信号の測定結果のうちの測定結果の最大値との差が第２差分値以下であることを含む。前記端末装置が第２判断条件に基づき、前記Ｍ個の第２信号のうちの報告する必要のある信号を決定する方式は類似するため、ここでは詳細説明を省略する。
【０１００】
前記第１判断条件と前記第２判断条件は同じであってもよく異なってもよく、具体的には、前記第１閾値と前記第２閾値は同じであってもよく異なってもよく、前記第１差分値と前記第２差分値は同じであってもよく異なってもよく、本願の実施例では、それを限定しない。
【０１０１】
つまり、ネットワーク装置は、異なる信号に対して対応する判断条件を構成し、それによって信号選択時、対応する判断条件に基づき信号選択を行うことができる。
【０１０２】
好ましくは、本願の実施例では、前記方法２００は、
前記端末装置は、前記ネットワーク装置から送信される第４構成情報を受信するステップであって、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられるステップをさらに含む。
【０１０３】
すなわち、前記端末装置は各種の信号に対して対応する判断条件を構成し、各種の信号に対応する判断条件は同じであってもよく、異なってもよく、本願の実施例では、それを限定しない。
【０１０４】
つまり、該実施例では、前記ネットワーク装置は各種の信号の選択条件、すなわち各種の信号の判断条件を構成し、選択条件を満たす信号は報告する必要のある信号である。
【０１０５】
好ましくは、具体的な実施例では、Ｓ２２０は、
前記端末装置は、第３判断条件、及び前記Ｎ個の第１信号の測定結果と前記Ｍ個の第２信号の測定結果に基づき、前記Ｎ個の第１信号及び前記Ｍ個の第２信号からＫ（１≦Ｋ≦Ｎ＋Ｍ）個の第２信号を決定するステップであって、報告する必要のある信号が前記Ｋ個の信号を含むステップを含む。
【０１０６】
該実施例では、前記ネットワーク装置は複数の信号に対して同一判断条件、すなわち、第３判断条件を構成し、信号選択時、前記端末装置は同一判断条件に基づき、各信号の測定結果に合わせて、信号選択を行うようにしてもよく、例えば、前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含む。つまり、前記端末装置はＮ個の第１信号の測定結果及びＭ個の第２信号の測定結果のうち第３判断条件を満たす測定結果に対応する信号を、報告する必要のある信号として決定するようにしてもよい。
【０１０７】
好ましくは、該実施例では、前記方法２００は、
前記端末装置は、前記ネットワーク装置から送信される第５構成情報を受信するステップであって、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられるステップをさらに含む。
【０１０８】
すなわち、前記端末装置は複数種の信号に対して統一した判断条件を構成し、信号選択時、統一した判断条件に基づき、複数種の信号のそれぞれの測定結果に合わせて信号選択を行うようにしてもよい。
【０１０９】
好ましくは、さらに別の実施例として、前記方法２００は、
前記端末装置は、少なくとも１つの第１信号及び少なくとも１つの第２信号の測定結果をジョイント処理し、処理後の測定結果を得るステップであって、前記処理後の測定結果が前記第１信号及び前記第２信号に対応する測定結果であるステップをさらに含む。
【０１１０】
前記少なくとも１つの第１信号及び前記少なくとも１つの第２信号は擬似コロケーション（ＱＣＬ：Ｑｕａｓｉ−Ｃｏ−Ｌｏｃａｔｉｏｎ）又は空間的擬似コロケーション（Ｓｐａｔｉａｌ  ＱＣＬ）の信号であり、例えば、少なくとも１つの第１信号及び前記少なくとも１つの第２信号は同一のｂｅａｍで送信され、又は同一のアンテナポートによって送信されるなどのようにしてもよく、つまり、前記Ｎ個の第１信号及びＭ個の第２信号には、擬似コロケーションの信号が２つ以上含まれ、例えば、少なくとも２つの第１信号と１つの第２信号はＱＣＬであり、又は少なくとも２つの第１信号と少なくとも２つの第２信号はＱＣＬであってもよいが、本願の実施例では、特に擬似コロケーションの信号の数を限定しない。
【０１１１】
好ましくは、いくつかの実施例では、Ｓ２２０は、
前記端末装置は、処理後の測定結果に基づき、報告する必要のある信号を決定するステップを含む。
【０１１２】
具体的には、第１信号と第２信号が擬似コロケーションである場合、前記第１信号と前記第２信号の測定結果をジョイント処理し、これら２つの信号に対する処理後の測定結果を得て、その後、前記端末装置は処理後の測定結果に基づき、これら２つの信号の伝送品質を評価するようにしてもよい。つまり、Ｎ個の第１信号の測定結果及びＭ個の第２信号の測定結果に基づき、報告する必要のある信号を決定する場合、処理後の測定結果で第１信号及び第２信号の測定結果を代替し、その後、ほかの信号の測定結果に合わせて、伝送品質を比較し、さらに伝送品質が高い少なくとも１つの信号を選択するようにしてもよい。前記Ｎ個の第１信号及び前記Ｍ個の第２信号にほかの擬似コロケーションの１組の信号がさらに含まれる場合、この１組の信号の測定結果をジョイント処理し、この１組の信号に対する処理後の測定結果を得て、伝送品質を比較する時、処理後の測定結果をこの１組の信号に対応する測定結果とするようにしてもよい。
【０１１３】
好ましくは、一実施例として、前記端末装置は前記少なくとも１つの第１信号及び前記少なくとも１つの第２信号の測定結果をジョイント処理し、処理後の測定結果を得ることは、
前記端末装置は、前記少なくとも１つの第１信号及び前記少なくとも１つの第２信号の測定結果のうちの最大値を、前記処理後の測定結果として決定するステップを含む。
【０１１４】
すなわち、前記端末装置は擬似コロケーションの１組の信号に対応する測定結果のうちの最大値を、該当する擬似コロケーションの１組の信号に対応する測定結果として決定するようにしてもよい。
【０１１５】
例えば、前記少なくとも１つの第１信号は１つの第１信号を含み、第１信号の測定結果をＲＳＲＰ１とし、前記少なくとも１つの第２信号は１つの第２信号を含み、第２信号の測定結果をＲＳＲＰ２とし、擬似コロケーションの１組の信号に対応する測定結果をＲＳＲＰとすると、ＲＳＲＰ＝ｍａｘ（ＲＳＲＰ１，ＲＳＲＰ２）である。
【０１１６】
前記第１信号の測定結果ＲＳＲＰ１、及び第２信号の測定結果ＲＳＲＰ２は元の測定結果であってもよく、第１信号及び第２信号の送信電力に基づき調整された結果であってもよいが、本願の実施例では、それを限定しない。
【０１１７】
好ましくは、別の実施例として、前記端末装置は前記少なくとも１つの第１信号及び前記少なくとも１つの第２信号の測定結果をジョイント処理し、処理後の測定結果を得ることは、
前記端末装置は、前記少なくとも１つの第１信号及び前記少なくとも１つの第２信号の測定結果のうちの最小値を、前記処理後の測定結果として決定するステップを含む。
【０１１８】
すなわち、前記端末装置は、擬似コロケーションの１組の信号に対応する測定結果のうちの最小値を、該当する擬似コロケーションの１組の信号に対応する測定結果として決定するようにしてもよい。
【０１１９】
例えば、前記少なくとも１つの第１信号は１つの第１信号を含み、第１信号の測定結果をＲＳＲＰ１とし、前記少なくとも１つの第２信号は１つの第２信号を含み、第２信号の測定結果をＲＳＲＰ２とし、擬似コロケーションの１組の信号に対応する測定結果をＲＳＲＰとすると、ＲＳＲＰ＝ｍｉｎ（ＲＳＲＰ１，ＲＳＲＰ２）である。
【０１２０】
好ましくは、さらに別の実施例として、前記端末装置は前記少なくとも１つの第１信号及び前記少なくとも１つの第２信号の測定結果をジョイント処理し、処理後の測定結果を得ることは、
前記端末装置は、前記処理後の測定結果を、ａ＊Ｒ１＋ｂ＊Ｒ２として決定するステップであって、ａ＞０、ｂ＞０であり、前記Ｒ１が前記第１信号の測定結果であり、前記Ｒ２が前記第２信号の測定結果であるステップを含む。
【０１２１】
すなわち、前記端末装置は擬似コロケーションの１組の信号に対応する測定結果を、それぞれ対応する係数と乗算した結果を、該当する擬似コロケーションの１組の信号に対応する測定結果として決定するようにしてもよい。
【０１２２】
例えば、前記少なくとも１つの第１信号は１つの第１信号を含み、第１信号の測定結果をＲＳＲＰ１とし、前記少なくとも１つの第２信号は１つの第２信号を含み、第２信号の測定結果をＲＳＲＰ２とし、擬似コロケーションの１組の信号に対応する測定結果をＲＳＲＰとすると、ＲＳＲＰ＝ａ＊Ｒ１＋ｂ＊Ｒ２（ａ＞０、ｂ＞０）である。
【０１２３】
好ましくは、前記ａ及び前記ｂはネットワーク装置によって前記端末装置に対して構成され、前記端末装置によって決定されるものであり、又は前記端末装置に事前設定されているものである。
【０１２４】
好ましくは、前記ａ及び前記ｂは、前記少なくとも１つの第１信号及び前記少なくとも１つの第２信号の信号帯域幅、信号周期、信号密度、リソース要素ＲＥ数又はサンプル数のうちの少なくとも１つに基づき、決定される。
【０１２５】
例えば、前記端末装置は前記少なくとも１つの第１信号及び少なくとも１つの第２信号の信号帯域幅に基づき前記係数ａ及び係数ｂを決定し、例えば、前記少なくとも１つの第１信号の信号帯域幅が前記少なくとも１つの第２信号の信号帯域幅よりも大きいと、ａをｂよりも大きい値として決定し、又は前記第１信号及び第２信号の送信に使用されるＲＥの数に基づきａ及びｂを決定し、例えば、第１信号によって占有されるＲＥの数が第２信号によって占有されるＲＥの数よりも大きいと、ａをｂよりも大きい値として決定し、又は前記少なくとも１つの第１信号及び前記少なくとも１つの第２信号のサンプル数に基づき、前記係数ａ及び係数ｂを決定し、例えば、前記第１信号のサンプル数が第２信号のサンプル数よりも大きいと、ａをｂよりも大きい値として決定する。
【０１２６】
好ましくは、一実施形態として、前記ａと前記ｂの和は１である。
【０１２７】
つまり、擬似コロケーションの１組の信号に対応する測定結果の加重係数の和は１である。
【０１２８】
好ましくは、いくつかの実施例では、Ｓ２２０は、
前記端末装置は、前記Ｎ個の第１信号及び前記Ｍ個の第２信号の送信電力に基づき、前記Ｎ個の第１信号の測定結果及び前記Ｍ個の第２信号の測定結果を調整するステップと、
調整後のＮ個の第１信号の測定結果及び調整後のＭ個の第２信号の測定結果に基づき、報告する必要のある信号を決定するステップと、を含む。
【０１２９】
つまり、本願の実施例では、前記端末装置は、前記Ｎ個の第１信号の測定結果及び前記Ｍ個の第２信号の測定結果に基づき、報告する必要のある信号を直接決定し、又は前記Ｎ個の信号及び前記Ｍ個の信号の送信電力に基づき上記測定結果を調整した後、調整後の測定結果に基づき報告する必要のある信号を決定するようにしてもよい。
【０１３０】
好ましくは、一実施例として、前記調整後のＮ個の第１信号の測定結果及び調整後のＭ個の第２信号の測定結果に基づき、報告する必要のある信号を決定することは、
前記端末装置は、前記調整後のＮ個の第１信号の測定結果を前記調整後のＭ個の第２信号の測定結果と比較し、品質が最も高いＫ（１≦Ｋ≦Ｎ＋Ｍ）個の信号を、報告する必要のある信号として決定するステップを含む。
【０１３１】
つまり、前記端末装置は調整後の測定結果に基づき直接比較し、伝送品質が最も高いＫ個の信号を、報告する必要のある信号として選択する。好ましくは、調整後の測定結果に基づき、報告する必要のある信号を決定する具体的な実現プロセスは上記実施例の関連説明を参照すればよく、例えば、調整後の測定結果を個別比較し又は一括比較し、具体的には、調整後のＮ個の第１信号の測定結果に基づき、Ｎ個の第１信号からＫ１個の第１信号を決定し、調整後のＭ個の第２信号の測定結果に基づき、Ｍ個の第２信号からＫ２個の第２信号を決定し、又は調整後のＮ個の第１信号の測定結果及び調整後のＭ個の第２信号の測定結果に基づき、Ｎ個の第１信号及びＭ個の第２信号からＫ個の信号を決定し、前記Ｋ個の信号はＫ個の第１信号であり、又はＫ個の第２信号であり、又は少なくとも１つの第１信号及び少なくとも１つの第２信号等を含む。
【０１３２】
好ましくは、別の実施例として、前記調整後のＮ個の第１信号の測定結果及び調整後のＭ個の第２信号の測定結果に基づき、報告する必要のある信号を決定することは、
前記端末装置は、調整後のＮ個の第１信号の測定結果及び前記調整後のＭ個の第２信号の測定結果のうちの一部又はすべてを処理し、処理後のＮ個の第１信号の測定結果及び処理後のＭ個の第２信号の測定結果に基づき、報告する必要のある信号を決定するステップを含む。
【０１３３】
つまり、前記端末装置は調整後のＮ個の第１信号の測定結果及び前記調整後のＭ個の第２信号の測定結果のうちの一部又はすべてをさらに処理し、その後、処理後のＮ個の第１信号の測定結果及び処理後のＭ個の第２信号の測定結果に基づき、報告する必要のある信号を決定するようにしてもよく、処理後のＮ個の第１信号の測定結果及び処理後のＭ個の第２信号の測定結果に基づき報告する必要のある信号を決定する具体的な実現プロセスは上記実施例の関連説明を参照できるため、ここでは詳細説明を省略する。
【０１３４】
好ましくは、いくつかの実施例では、前記端末装置は調整後のＮ個の第１信号の測定結果及び前記調整後のＭ個の第２信号の測定結果のうちの一部又はすべてを処理することは、
前記端末装置は、第１測定結果を第１係数と乗算し、又は前記第１測定結果を第１オフセットと加算するステップであって、前記第１測定結果が、前記調整後のＮ個の第１信号の測定結果のうちのいずれか一つの測定結果又は前記調整後のＭ個の第２信号の測定結果のうちのいずれか一つの測定結果であるステップを含む。
【０１３５】
例えば、前記調整後のＮ個の第１信号の測定結果及び調整後のＭ個の第２信号の測定結果は第１測定結果を含み、前記第１測定結果をさらに処理することについて、前記第１測定結果を第１係数と乗算し、及び／又は第１オフセットと加算し、その後、処理後の前記第１測定結果を対応する第１信号の最終測定結果とし、さらに処理後の第１測定結果に基づき前記第１信号の伝送品質を決定する。
【０１３６】
好ましくは、本願の実施例では、前記第１係数は前記端末装置に事前設定されており、前記ネットワーク装置によって前記端末装置に対して構成され、又は前記端末装置によって決定される。
【０１３７】
好ましくは、本願の実施例では、前記第１オフセットは前記端末装置に事前設定されており、前記ネットワーク装置によって前記端末装置に対して構成され、又は前記端末装置によって決定される。
【０１３８】
従って、本願の実施例に係る信号報告方法によれば、前記端末装置は少なくとも２種の信号の測定結果に基づき報告する必要のある信号を決定し、通常、信号がビームに対応しているため、ネットワーク装置は端末装置によって報告される信号の情報に基づき、対応するビームを決定し、それによってビーム選択を実現する。
【０１３９】
以上、図２を参照して端末装置側から本願の実施例に係る信号報告方法を詳細説明したが、以下、図３を参照して、ネットワーク装置側から本願の実施例に係る信号報告方法を詳細説明する。なお、ネットワーク装置側の説明は端末装置側の説明と相互に対応しているため、類似説明は上記説明を参照でき、重複を回避するために、ここでは詳細説明を省略する。
【０１４０】
図３は本願の別の実施例に係る信号報告方法３００の概略フローチャートであり、該方法３００は図１に示される通信システムのネットワーク装置によって実行でき、図３に示すように、該方法３００は、
ネットワーク装置は、第１信号及び第２信号を測定するように前記端末装置を構成するための第１構成情報を端末装置に送信するステップＳ３１０と、
前記ネットワーク装置は、端末装置から送信される報告結果を受信するステップであって、前記報告結果が、前記端末装置によってＮ（Ｎ≧１）個の第１信号の測定結果及びＭ（Ｍ≧１）個の第２信号の測定結果に基づいて決定された信号の情報を含むステップＳ３２０と、を含む。
【０１４１】
好ましくは、いくつかの実施例では、前記方法３００は、
前記ネットワーク装置は、第２構成情報を前記端末装置に送信するステップであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられるステップをさらに含む。
【０１４２】
好ましくは、いくつかの実施例では、前記方法は、
前記ネットワーク装置は、第３構成情報を前記端末装置に送信するステップであって、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられるステップをさらに含む。
【０１４３】
好ましくは、いくつかの実施例では、前記方法は、
前記ネットワーク装置は、第４構成情報を前記端末装置に送信するステップであって、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられるステップをさらに含む。
【０１４４】
好ましくは、いくつかの実施例では、前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含む。
【０１４５】
好ましくは、いくつかの実施例では、前記方法は、
前記ネットワーク装置は、第５構成情報を前記端末装置に送信するステップであって、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられるステップをさらに含む。
【０１４６】
好ましくは、いくつかの実施例では、前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含む。
【０１４７】
以上、図２〜図３を参照して本願の方法の実施例を詳細説明したが、以下、図４〜図７を参照して本願の装置の実施例を詳細説明し、なお、装置の実施例は方法の実施例と相互に対応しているため、類似説明は方法の実施例を参照できる。
【０１４８】
図４は本願の実施例に係る端末装置４００の概略ブロック図である。図４に示すように、該端末装置４００は、
Ｎ（Ｎ≧１）個の第１信号を測定し、対応する測定結果を得て、Ｍ（Ｍ≧１）個の第２信号を測定し、対応する測定結果を得るように構成される測定モジュール４１０と、
前記Ｎ個の第１信号の測定結果及び前記Ｍ個の第２信号の測定結果に基づき、報告する必要のある信号を決定するように構成される決定モジュール４２０と、を備える。
【０１４９】
好ましくは、いくつかの実施例では、前記端末装置４００は、
ネットワーク装置から送信される第１構成情報であって、第１信号及び第２信号を測定するように前記端末装置を構成するための第１構成情報を受信するように構成される第１受信モジュールをさらに備える。
【０１５０】
好ましくは、いくつかの実施例では、前記決定モジュール４２０は具体的には、
前記Ｎ個の第１信号の測定結果に基づき、前記Ｎ個の第１信号からＫ１個の第１信号を決定し、前記Ｍ個の第２信号の測定結果に基づき、前記Ｍ個の第２信号からＫ２個の第２信号を決定するように構成され、報告する必要のある信号が前記Ｋ１個の第１信号及び前記Ｋ２個の第２信号を含む。
【０１５１】
好ましくは、いくつかの実施例では、前記端末装置４００は、
前記ネットワーク装置から送信される第２構成情報を受信するように構成される第２受信モジュールであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられる第２受信モジュールをさらに備える。
【０１５２】
好ましくは、いくつかの実施例では、前記決定モジュール４２０は具体的には、
前記Ｎ個の第１信号の測定結果及び前記Ｍ個の第２信号の測定結果に基づき、前記Ｎ個の第１信号及び前記Ｍ個の第２信号からＫ（１≦Ｋ≦Ｎ＋Ｍ）個の信号を決定するように構成され、報告する必要のある信号が前記Ｋ個の信号を含む。
【０１５３】
好ましくは、いくつかの実施例では、前記端末装置４００は、
前記ネットワーク装置から送信される第３構成情報を受信するように構成される第３受信モジュールであって、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられる第３受信モジュールをさらに備える。
【０１５４】
好ましくは、いくつかの実施例では、前記決定モジュール４２０は具体的には、
第１判断条件及び前記Ｎ個の第１信号の測定結果に基づき、前記Ｎ個の第１信号からＫ１（Ｋ１≦Ｎ）個の第１信号を決定し、第２判断条件及び前記Ｍ個の第２信号の測定結果に基づき、前記Ｍ個の第２信号からＫ２（Ｋ２≦Ｍ）個の第２信号を決定するように構成され、報告する必要のある信号が前記Ｋ１個の第１信号及び前記Ｋ２個の第２信号を含む。
【０１５５】
好ましくは、いくつかの実施例では、前記端末装置４００は、
前記ネットワーク装置から送信される第４構成情報を受信するように構成される第４受信モジュールであって、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられる第４受信モジュールをさらに備える。
【０１５６】
好ましくは、いくつかの実施例では、前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含む。
【０１５７】
好ましくは、いくつかの実施例では、前記決定モジュール４２０はさらに、
第３判断条件、及び前記Ｎ個の第１信号の測定結果と前記Ｍ個の第２信号の測定結果に基づき、前記Ｎ個の第１信号及び前記Ｍ個の第２信号からＫ（１≦Ｋ≦Ｎ＋Ｍ）個の第２信号を決定するように構成され、報告する必要のある信号が前記Ｋ個の信号を含む。
【０１５８】
好ましくは、いくつかの実施例では、前記端末装置４００は
前記ネットワーク装置から送信される第５構成情報を受信するように構成される第５受信モジュールであって、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられる第５受信モジュールをさらに備える。
【０１５９】
好ましくは、いくつかの実施例では、前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含む。
【０１６０】
好ましくは、いくつかの実施例では、前記端末装置４００は、
少なくとも１つの第１信号及び少なくとも１つの第２信号の測定結果をジョイント処理し、処理後の測定結果を得るように構成される処理モジュールであって、前記処理後の測定結果が前記第１信号及び前記第２信号に対応する測定結果である処理モジュールをさらに備える。
【０１６１】
好ましくは、いくつかの実施例では、前記処理モジュールは具体的には、
前記少なくとも１つの第１信号及び前記少なくとも１つの第２信号の測定結果のうちの最大値を、前記処理後の測定結果として決定するように構成される。
【０１６２】
好ましくは、いくつかの実施例では、前記処理モジュールは具体的には、
前記端末装置は、前記少なくとも１つの第１信号及び前記少なくとも１つの第２信号の測定結果のうちの最小値を、前記処理後の測定結果として決定するように構成される。
【０１６３】
好ましくは、いくつかの実施例では、前記処理モジュールは具体的には、
前記端末装置が、前記処理後の測定結果を、ａ＊Ｒ１＋ｂ＊Ｒ２として決定するように構成され、ａ＞０、ｂ＞０であり、前記Ｒ１が前記第１信号の測定結果であり、前記Ｒ２が前記第２信号の測定結果である。
【０１６４】
好ましくは、いくつかの実施例では、前記ａ及び前記ｂはネットワーク装置によって前記端末装置に対して構成され、前記端末装置によって決定されるものであり、又は前記端末装置に事前設定されているものである。
【０１６５】
好ましくは、いくつかの実施例では、前記ａ及び前記ｂは、前記少なくとも１つの第１信号及び前記少なくとも１つの第２信号の信号帯域幅、信号周期、信号密度、リソース要素ＲＥ数又はサンプル数のうちの少なくとも１つに基づき、決定される。
【０１６６】
好ましくは、いくつかの実施例では、前記第１信号及び前記第２信号は擬似コロケーション（ＱＣＬ）又は空間的擬似コロケーションである。
【０１６７】
好ましくは、いくつかの実施例では、前記決定モジュール４２０は具体的には、
処理後の測定結果に基づき、報告する必要のある信号を決定するように構成される。
【０１６８】
好ましくは、いくつかの実施例では、前記端末装置４００は、
前記Ｎ個の第１信号及び前記Ｍ個の第２信号の送信電力に基づき、前記Ｎ個の第１信号の測定結果及び前記Ｍ個の第２信号の測定結果を調整するように構成される処理モジュールをさらに備え、
前記決定モジュール４２０は具体的には、
調整後のＮ個の第１信号の測定結果及び調整後のＭ個の第２信号の測定結果に基づき、報告する必要のある信号を決定するように構成される。
【０１６９】
好ましくは、いくつかの実施例では、前記決定モジュール４２０は具体的には、
前記調整後のＮ個の第１信号の測定結果を前記調整後のＭ個の第２信号の測定結果と比較し、品質が最も高いＫ（１≦Ｋ≦Ｎ＋Ｍ）個の信号を、報告する必要のある信号として決定するように構成される。
【０１７０】
好ましくは、いくつかの実施例では、前記処理モジュールはさらに、
調整後のＮ個の第１信号の測定結果及び前記調整後のＭ個の第２信号の測定結果のうちの一部又はすべてを処理するように構成され、
前記決定モジュール４２０は具体的には、
処理後のＮ個の第１信号の測定結果及び処理後のＭ個の第２信号の測定結果に基づき、報告する必要のある信号を決定するように構成される。
【０１７１】
好ましくは、いくつかの実施例では、前記処理モジュールは具体的には、
第１測定結果を第１係数と乗算し、又は前記第１測定結果を第１オフセットと加算するように構成され、前記第１測定結果が、前記調整後のＮ個の第１信号の測定結果のうちのいずれか一つの測定結果又は前記調整後のＭ個の第２信号の測定結果のうちのいずれか一つの測定結果である。
【０１７２】
好ましくは、いくつかの実施例では、前記第１係数は前記端末装置に事前設定されており、前記ネットワーク装置によって前記端末装置に対して構成され、又は前記端末装置によって決定される。
【０１７３】
好ましくは、いくつかの実施例では、前記第１オフセットは前記端末装置に事前設定されており、前記ネットワーク装置によって前記端末装置に対して構成され、又は前記端末装置によって決定される。
【０１７４】
好ましくは、いくつかの実施例では、前記測定結果は参照信号受信電力（ＲＳＲＰ）である。
【０１７５】
好ましくは、いくつかの実施例では、前記第１信号はチャネル状態情報参照信号（ＣＳＩ−ＲＳ）であり、前記第２信号は同期信号ブロック（ＳＳ  Ｂｌｏｃｋ）中の一部又はすべての信号である。
【０１７６】
なお、本願の実施例に係る端末装置４００は本願の方法の実施例におえる端末装置に対応でき、且つ端末装置４００の各ユニットの上記及びほかの操作及び／又は機能はそれぞれ図２に示される方法２００中の端末装置の対応するプロセスを実現し、簡潔さの点から、ここでは重複説明を省略する。
【０１７７】
図５は本願の実施例に係るネットワーク装置５００の概略ブロック図である。図５に示すように、該ネットワーク装置５００は、
第１信号及び第２信号を測定するように前記端末装置を構成するための第１構成情報を端末装置に送信するように構成される送信モジュール５１０と、
端末装置から送信される報告結果を受信するように構成される受信モジュール５２０であって、前記報告結果が、前記端末装置によってＮ（Ｎ≧１）個の第１信号の測定結果及びＭ（Ｍ≧１）個の第２信号の測定結果に基づいて決定された信号の情報を含む受信モジュール５２０と、を備える。
【０１７８】
好ましくは、いくつかの実施例では、前記送信モジュール５１０はさらに、
第２構成情報を前記端末装置に送信するように構成され、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられる。
【０１７９】
好ましくは、いくつかの実施例では、前記送信モジュール５１０はさらに、
第３構成情報を前記端末装置に送信するように構成され、前記第３構成情報が、前記Ｎ個の第１信号の測定結果及び前記Ｍ個の第２信号の測定結果に基づいて前記Ｎ個の第１信号及び前記Ｍ個の第２信号からＫ（１≦Ｋ≦Ｎ＋Ｍ）個の信号を決定するように前記端末装置を構成するために用いられる。
【０１８０】
好ましくは、いくつかの実施例では、前記送信モジュール５１０はさらに、
第４構成情報を前記端末装置に送信するように構成され、前記第４構成情報が、前記第１判断条件及び前記Ｎ個の第１信号の測定結果に基づいて前記Ｎ個の第１信号から報告する必要のある第１信号を決定し、前記第２判断条件及び前記Ｍ個の第２信号の測定結果に基づいて前記Ｍ個の第２信号から報告する必要のある第２信号を決定するように前記端末装置を構成するために用いられる。
【０１８１】
好ましくは、いくつかの実施例では、前記第１判断条件は、測定結果が第１閾値以上であること、又は測定結果と前記Ｎ個の第１信号の測定結果のうちの測定結果の最大値との差が第１差分値以下であることを含み、
前記第２判断条件は、測定結果が第２閾値以上であること、又は測定結果と前記Ｍ個の第２信号の測定結果のうちの測定結果の最大値との差が第２差分値以下であることを含む。
【０１８２】
好ましくは、いくつかの実施例では、前記送信モジュール５１０はさらに、
第５構成情報を前記端末装置に送信するように構成され、前記第５構成情報が、前記第３判断条件、及び前記Ｎ個の第１信号の測定結果と前記Ｍ個の第２信号の測定結果に基づいて前記Ｎ個の第１信号及び前記Ｍ個の第２信号から報告する必要のある信号を決定するように前記端末装置を構成するために用いられる。
【０１８３】
好ましくは、いくつかの実施例では、前記第３判断条件は、測定結果が第３閾値以上であること、又は測定結果と、前記Ｎ個の第１信号の測定結果及び前記Ｍ個の第２信号の測定結果のうちの測定結果の最大値との差が第３差分値以下であることを含む。
【０１８４】
なお、本願の実施例に係るネットワーク装置５００は本願の方法の実施例におけるネットワーク装置に対応でき、且つネットワーク装置５００の各ユニットの上記及びほかの操作及び／又は機能はそれぞれ図３に示される方法３００中のネットワーク装置の対応するプロセスを実現し、簡潔さの点から、ここでは重複説明を省略する。
【０１８５】
図６に示すように、本願の実施例は端末装置６００をさらに提供し、該端末装置６００は図４中の端末装置４００であってもよく、図２中の方法２００に対応する端末装置の動作を実行できるように構成される。該端末装置６００は入力インターフェース６１０、出力インターフェース６２０、プロセッサ６３０及びメモリ６４０を備え、該入力インターフェース６１０、出力インターフェース６２０、プロセッサ６３０及びメモリ６４０がバスシステムによって接続される。前記メモリ６４０は、プログラム、命令又はコードを記憶するように構成される。前記プロセッサ６３０は、前記メモリ６４０中のプログラム、命令又はコードを実行して、入力インターフェース６１０による信号受信、出力インターフェース６２０による信号送信及び上記方法の実施例における操作の実行を制御するように構成される。
【０１８６】
なお、本願の実施例では、該プロセッサ６３０は中央処理装置（Ｃｅｎｔｒａｌ  Ｐｒｏｃｅｓｓｉｎｇ  Ｕｎｉｔ：「ＣＰＵ」と略称）であってもよく、ほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサ又は任意の通常のプロセッサ等であってもよい。
【０１８７】
該メモリ６４０は読み出し専用メモリ及びランダムアクセスメモリを含み、プロセッサ６３０に命令及びデータを提供するようにしてもよい。メモリ６４０の一部は、不揮発性ランダムアクセスメモリをさらに含んでもよい。例えば、メモリ６４０はさらに装置タイプの情報を記憶してもよい。
【０１８８】
実現中、上記方法の各ステップはプロセッサ６３０中のハードウェアの集積論理回路又はソフトウェア形態の命令によって実行できる。本願の実施例を参照して開示されている方法のステップは直接ハードウェアプロセッサによって実行され、又はプロセッサ中のハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ６４０に位置し、プロセッサ６３０はメモリ６４０中の情報を読み取り、そのハードウェアと組み合わせて上記方法のステップを実行する。重複を回避するために、ここでは詳細説明を省略する。
【０１８９】
具体的な実施形態では、図４に示される端末装置４００の第１受信モジュール、第２受信モジュール、第３受信モジュール、第４受信モジュール及び第５受信モジュールは図６の入力インターフェース６１０及び出力インターフェース６２０によって実現でき、図４に示される端末装置４００の測定モジュール４１０、決定モジュール４２０及び処理モジュールは図６のプロセッサ６３０によって実現できる。
【０１９０】
図７に示すように、本願の実施例はネットワーク装置７００をさらに提供し、該ネットワーク装置７００は図５中のネットワーク装置５００であってもよく、図３中の方法３００に対応するネットワーク装置の動作を実行できるように構成される。該ネットワーク装置７００は入力インターフェース７１０、出力インターフェース７２０、プロセッサ７３０及びメモリ７４０を備え、該入力インターフェース７１０、出力インターフェース７２０、プロセッサ７３０及びメモリ７４０がバスシステムによって接続される。前記メモリ７４０は、プログラム、命令又はコードを記憶するように構成される。前記プロセッサ７３０は、前記メモリ７４０中のプログラム、命令又はコードを実行して、入力インターフェース７１０による信号受信、出力インターフェース７２０による信号送信及び上記方法の実施例における操作の実行を制御するように構成される。
【０１９１】
なお、本願の実施例では、該プロセッサ７３０は中央処理装置（Ｃｅｎｔｒａｌ  Ｐｒｏｃｅｓｓｉｎｇ  Ｕｎｉｔ：「ＣＰＵ」と略称）であってもよく、ほかの汎用プロセッサ、デジタル信号プロセッサ（ＤＳＰ）、特定用途向け集積回路（ＡＳＩＣ）、フィールドプログラマブルゲートアレイ（ＦＰＧＡ）又はほかのプログラマブルロジックデバイス、ディスクリートゲート又はトランジスタロジック装置、ディスクリートハードウェアユニット等であってもよい。汎用プロセッサはマイクロプロセッサ又は任意の通常のプロセッサ等であってもよい。
【０１９２】
該メモリ７４０は読み出し専用メモリ及びランダムアクセスメモリを含み、プロセッサ７３０に命令及びデータを提供するようにしてもよい。メモリ７４０の一部は、不揮発性ランダムアクセスメモリをさらに含んでもよい。例えば、メモリ７４０はさらに装置タイプの情報を記憶してもよい。
【０１９３】
実現中、上記方法の各ステップはプロセッサ７３０中のハードウェアの集積論理回路又はソフトウェア形態の命令によって実行できる。本願の実施例を参照して開示されている方法のステップは直接ハードウェアプロセッサによって実行され、又はプロセッサ中のハードウェア及びソフトウェアモジュールの組合せによって実行される。ソフトウェアモジュールはランダムアクセスメモリ、フラッシュメモリ、読み出し専用メモリ、プログラマブル読み出し専用メモリ又は電気的消去可能プログラマブルメモリ、レジスタなど本分野の成熟した記憶媒体に格納されてもよい。該記憶媒体はメモリ７４０に位置し、プロセッサ７３０はメモリ７４０中の情報を読み取り、そのハードウェアと組み合わせて上記方法のステップを実行する。重複を回避するために、ここでは詳細説明を省略する。
【０１９４】
具体的な実施形態では、図５に示されるネットワーク装置５００の送信モジュール５１０は図７の出力インターフェース７２０によって実現でき、ネットワーク装置５００の受信モジュール５２０は図７の入力インターフェース７１０によって実現できる。
【０１９５】
当業者であれば、本明細書に開示されている実施例を参照して説明された各例のユニット及びアルゴリズムのステップを電子ハードウェア、又はコンピュータソフトウェアと電子ハードウェアとの組合せによって実現できると理解できる。これらの機能をハードウェアで実行するかソフトウェアで実行するかは、技術案の特定の応用及び設計制約条件に応じて決められる。当業者は本願の範囲を逸脱せずに、説明された機能を各特定の応用に応じて異なる方法で実現できる。
【０１９６】
当業者であれば、説明の便宜及び簡潔上、上記説明したシステム、装置及びユニットの具体的な動作プロセスは、上記方法の実施例の対応するプロセスを参照すればよいと理解できるため、ここでは詳細説明を省略する。
【０１９７】
本願により提供されるいくつかの実施例では、開示されているシステム、装置及び方法をほかの形態で実現できると理解すべきである。例えば、以上説明された装置の実施例は単に例示的なものであり、例えば、前記ユニットの分割は、単に１種のロジック機能分割であり、実際の実装では別の分割方式を採用してもよく、例えば複数のユニット又は要素を別のシステムに結合又は集積し、又はいくつかの特徴を無視したり実行しなかったりする。また、表示又は検討された相互の結合又は直接結合又は通信接続はいくつかのインターフェース、装置又はユニットを介した間接結合又は通信接続であってもよく、電気的、機械的又はほかの形態としてもよい。
【０１９８】
前記分離部材として説明されたユニットは物理的に分離しているものであってもよく、物理的に分離しているものでなくてもよく、ユニットとして表示される部材は物理ユニットであってもよく物理ユニットでなくてもよく、すなわち、１つの場所に位置してもよく、複数のネットワークユニットに分散してもよい。実際の必要に応じて一部又はすべてのユニットを選択して本願の実施例の目的を実現することができる。
【０１９９】
また、本願の各実施例における各機能ユニットは１つの処理ユニットに集積されてもよく、別々に物理的に存在してもよく、２つ又は２つ以上のユニットは１つのユニットに集積されてもよい。
【０２００】
前記機能がソフトウェア機能ユニットの形態で実現され独立した製品として販売又は使用される場合、コンピュータ可読記憶媒体に記憶され得る。このような理解に基づき、本願の技術案は本質的に又は従来技術に貢献する部分又は該技術案の一部はソフトウェア製品の形態で実施され得て、該コンピュータソフトウェア製品は記憶媒体に記憶され、コンピュータ装置（パーソナルコンピュータ、サーバ、又はネットワーク装置等）に本願の各実施例に係る方法の全て又は一部のステップを実行させるための複数の命令を含む。上記記憶媒体は、Ｕディスク、モバイルディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスクなどプロクラムコードを記憶可能な種々の媒体を含む。
【０２０１】
以上、本願の具体的な実施形態を説明したが、本願の保護範囲はそれに限定されるものではなく、当業者が本願に開示されている技術的範囲を逸脱せずに容易に想到し得る変更や置換はすべて本願の保護範囲に属する。従って、本願の保護範囲は特許請求の範囲の保護範囲に準じるべきである。
【図１】
2021500769.tif 000003
【図２】
2021500769.tif 000004
【図３】
2021500769.tif 000005
【図４】
2021500769.tif 000006
【図５】
2021500769.tif 000007
【図６】
2021500769.tif 000008
【図７】
2021500769.tif 000009
【手続補正書】
【提出日】令和2年8月19日(2020.8.19)
【手続補正１】
【補正対象書類名】特許請求の範囲
【補正対象項目名】全文
【補正方法】変更
【補正の内容】
【特許請求の範囲】
【請求項１】
信号報告方法であって、
端末装置が、Ｎ（Ｎ≧１）個の第１信号を測定し、対応する測定結果を得て、Ｍ（Ｍ≧１）個の第２信号を測定し、対応する測定結果を得るステップと、
前記端末装置が、前記Ｎ個の第１信号の測定結果及び前記Ｍ個の第２信号の測定結果に基づき、報告する必要のある信号を決定するステップと、を含むことを特徴とする方法。
【請求項２】
端末装置が、ネットワーク装置から送信される第１構成情報であって、第１信号及び第２信号を測定するように前記端末装置を構成するための第１構成情報を受信するステップをさらに含むことを特徴とする請求項１に記載の方法。
【請求項３】
前記端末装置が前記Ｎ個の第１信号の測定結果及び前記Ｍ個の第２信号の測定結果に基づき、報告する必要のある信号を決定することは、
前記端末装置が、前記Ｎ個の第１信号の測定結果に基づき、前記Ｎ個の第１信号からＫ１個の第１信号を決定し、前記Ｍ個の第２信号の測定結果に基づき、前記Ｍ個の第２信号からＫ２個の第２信号を決定するステップであって、報告する必要のある信号が前記Ｋ１個の第１信号及び前記Ｋ２個の第２信号を含むステップを含むことを特徴とする請求項１又は２に記載の方法。
【請求項４】
前記端末装置が、前記ネットワーク装置から送信される第２構成情報を受信するステップであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられるステップをさらに含むことを特徴とする請求項３に記載の方法。
【請求項５】
前記端末装置が前記Ｎ個の第１信号の測定結果及び前記Ｍ個の第２信号の測定結果に基づき、報告する必要のある信号を決定することは、
前記端末装置が、前記Ｎ個の第１信号の測定結果及び前記Ｍ個の第２信号の測定結果に基づき、前記Ｎ個の第１信号及び前記Ｍ個の第２信号からＫ（１≦Ｋ≦Ｎ＋Ｍ）個の信号を決定するステップであって、報告する必要のある信号が前記Ｋ個の信号を含むステップを含むことを特徴とする請求項１又は２に記載の方法。
【請求項６】
前記端末装置が、少なくとも１つの第１信号及び少なくとも１つの第２信号の測定結果をジョイント処理し、処理後の測定結果を得るステップであって、前記処理後の測定結果が前記第１信号及び前記第２信号に対応する測定結果であるステップをさらに含むことを特徴とする請求項１又は２に記載の方法。
【請求項７】
前記第１信号及び前記第２信号は擬似コロケーション（ＱＣＬ）又は空間的擬似コロケーションであることを特徴とする請求項６に記載の方法。
【請求項８】
前記端末装置が前記Ｎ個の第１信号の測定結果及び前記Ｍ個の第２信号の測定結果に基づき、報告する必要のある信号を決定することは、
前記端末装置が、処理後の測定結果に基づき、報告する必要のある信号を決定するステップを含むことを特徴とする請求項６に記載の方法。
【請求項９】
前記測定結果は参照信号受信電力（ＲＳＲＰ）であることを特徴とする請求項１〜８のいずれか一項に記載の方法。
【請求項１０】
前記第１信号はチャネル状態情報参照信号（ＣＳＩ−ＲＳ）であり、前記第２信号は同期信号ブロック（ＳＳ  Ｂｌｏｃｋ）中の一部又はすべての信号であることを特徴とする請求項１〜９のいずれか一項に記載の方法。
【請求項１１】
端末装置であって、
Ｎ（Ｎ≧１）個の第１信号を測定し、対応する測定結果を得て、Ｍ（Ｍ≧１）個の第２信号を測定し、対応する測定結果を得るように構成される測定モジュールと、
前記Ｎ個の第１信号の測定結果及び前記Ｍ個の第２信号の測定結果に基づき、報告する必要のある信号を決定するように構成される決定モジュールと、を備えることを特徴とする端末装置。
【請求項１２】
ネットワーク装置から送信される第１構成情報であって、第１信号及び第２信号を測定するように前記端末装置を構成するための第１構成情報を受信するように構成される第１受信モジュールをさらに備えることを特徴とする請求項１１に記載の端末装置。
【請求項１３】
前記決定モジュールは具体的には、
前記Ｎ個の第１信号の測定結果に基づき、前記Ｎ個の第１信号からＫ１個の第１信号を決定し、前記Ｍ個の第２信号の測定結果に基づき、前記Ｍ個の第２信号からＫ２個の第２信号を決定するように構成され、報告する必要のある信号が前記Ｋ１個の第１信号及び前記Ｋ２個の第２信号を含むことを特徴とする請求項１１又は１２に記載の端末装置。
【請求項１４】
前記ネットワーク装置から送信される第２構成情報を受信するように構成される第２受信モジュールであって、前記第２構成情報が、前記Ｎ個の第１信号の測定結果に基づいて前記Ｎ個の第１信号からＫ１（Ｋ１≦Ｎ）個の第１信号を決定し、前記Ｍ個の第２信号の測定結果に基づいて前記Ｍ個の第２信号からＫ２（Ｋ２≦Ｍ）個の第２信号を決定するように前記端末装置を構成するために用いられる第２受信モジュールをさらに備えることを特徴とする請求項１３に記載の端末装置。
【請求項１５】
前記決定モジュールは具体的には、
前記Ｎ個の第１信号の測定結果及び前記Ｍ個の第２信号の測定結果に基づき、前記Ｎ個の第１信号及び前記Ｍ個の第２信号からＫ（１≦Ｋ≦Ｎ＋Ｍ）個の信号を決定するように構成され、報告する必要のある信号が前記Ｋ個の信号を含むことを特徴とする請求項１１又は１２に記載の端末装置。
【請求項１６】
少なくとも１つの第１信号及び少なくとも１つの第２信号の測定結果をジョイント処理し、処理後の測定結果を得るように構成される処理モジュールであって、前記処理後の測定結果が前記第１信号及び前記第２信号に対応する測定結果である処理モジュールをさらに備えることを特徴とする請求項１１又は１２に記載の端末装置。
【請求項１７】
前記第１信号及び前記第２信号は擬似コロケーション（ＱＣＬ）又は空間的擬似コロケーションであることを特徴とする請求項１６に記載の端末装置。
【請求項１８】
前記決定モジュールは具体的には、
処理後の測定結果に基づき、報告する必要のある信号を決定するように構成されることを特徴とする請求項１６又は１７に記載の端末装置。
【請求項１９】
前記測定結果は参照信号受信電力（ＲＳＲＰ）であることを特徴とする請求項１１〜１８のいずれか一項に記載の端末装置。
【請求項２０】
前記第１信号はチャネル状態情報参照信号（ＣＳＩ−ＲＳ）であり、前記第２信号は同期信号ブロック（ＳＳ  Ｂｌｏｃｋ）中の一部又はすべての信号であることを特徴とする請求項１１〜１９のいずれか一項に記載の端末装置。
【国際調査報告】
2021500769.tif 000010
2021500769.tif 000011
2021500769.tif 000012
2021500769.tif 000013